(57)【特許請求の範囲】
【請求項１】
深度に応じた複数の調査地点に関する調査データに基づき、構造物を支持するための支持層を選定する支持層選定プログラムであって、
前記調査データに基づき、各調査地点の支持力を算出する算出ステップと、
その算出ステップで算出される前記支持力が前記支持層として選定され得る条件である第１規定値を満足するか否かを判断する第１判断ステップと、
その第１判断ステップで前記第１規定値を満足すると判断された前記調査地点のうち、連続する少なくとも２以上の調査地点について、地表面に最も近い調査地点から地表面から最も離れた調査地点までの間隔が前記支持層として選定され得る条件である第２規定値を満足するか否かを判断する第２判断ステップと、
その第２判断ステップで前記第２規定値を満足すると判断された前記少なくとも２以上の調査地点を前記支持層として選定し、その選定した調査地点の深度だけを深度に応じて区画されている表示欄に表示させる第１表示ステップとを備えていることを特徴とする支持層選定プログラム。
【請求項２】
前記第１表示ステップは、前記支持層として選定された調査地点のうち、最も地表面に近い１つの調査地点の深度だけを表示させることを特徴とする請求項１に記載の支持層選定プログラム。
【請求項３】
前記算出ステップで算出される前記支持力が、前記支持層として選定され得る条件であって前記第１規定値よりも厳しい条件である第３規定値を満足するか否かを判断する第３判断ステップと、
その第３判断ステップで前記第３規定値を満足すると判断された調査地点の深度だけを深度に応じて区画されている表示欄に表示させる第２表示ステップと、
その第２表示ステップで表示される前記調査地点の深度のうちから、操作者が所定の調査地点の深度を選択したか否かを検出する検出ステップとを備えていることを特徴とする請求項１又は２に記載の支持層選定プログラム。
【請求項４】
前記検出ステップで操作者が所定の調査地点の深度を選択したことが検出された場合に、その操作者が指定した所定の調査地点を前記支持層として選定し、操作者が選択した所定の調査地点の深度だけを表示させる第３表示ステップを備えていることを特徴とする請求項３に記載の支持層選定プログラム。
【請求項５】
前記支持層として選定された調査地点の深度に対応した地盤改良工法を予め記憶手段に記憶されている深度に応じた地盤改良工法から抽出し、その抽出した地盤改良工法を表示させる第４表示ステップを備えていることを特徴とする請求項１から４のいずれかに記載の支持層選定プログラム。
【発明の詳細な説明】
【０００１】
【発明の属する技術分野】
本発明は、支持層選定プログラムに関し、特に、調査データから構造物を支持するための支持層として採用し得る地層を簡易かつ的確に選定することができる支持層選定プログラムに関するものである。
【０００２】
【従来の技術】
従来より、構造物を構築するに当たっては、その構造物を支持し得る支持層を選定するために地盤調査が行われている。この地盤調査の方法の１つとして、スウェーデン式サウンディング試験（日本工業規格  ＪＩＳ  Ａ  １２２１）が知られている。この試験方法については後述するとして（図１および図２参照）、この試験方法によって得られた調査データから支持層として採用し得る地層を選定するには、調査データから換算Ｎ値を用いて調査地点の推定地耐力Ｆｅが算出される。その推定地耐力Ｆｅと、その推定地耐力Ｆｅに対応する調査地点の様々なデータとを一覧表にした調査データ表が作成される。そして、その調査データ表から支持層として採用し得る地層が選定される。
【０００３】
【非特許文献１】
「土の調査実習書」  土質工学会  １９９３年１月３０日。
【０００４】
【発明が解決しようとする課題】
しかしながら、上述したスウェーデン式サウンディング試験においては、調査地点が地中約５ｍ〜約１０ｍを約０．０３ｍ〜約０．２５ｍの間隔で多数個設けられているため、上述した調査データ表を作成した場合、その調査データ表には多くの数値が羅列されることになる。よって、専門家であっても調査データ表の見誤りを引き起こし易く、誤った支持層を選定してしまう場合があるという問題点があった。
【０００５】
また、上記調査データ表は、地盤調査の依頼人に対する説明材料としても使用される場合があるため、専門的な知識に乏しい者であっても、その調査データ表から支持層として採用し得る地層を簡易に把握できることが好ましい。
【０００６】
本発明は、この問題を解消すべくなされたものであって、調査データから構造物を支持するための支持層として採用し得る地層を簡易かつ的確に選定することができる支持層選定プログラムを提供することを目的とするものである。
【０００７】
【課題を解決するための手段】
この目的を達成するために請求項１記載の支持層選定プログラムは、深度に応じた複数の調査地点に関する調査データに基づき、構造物を支持するための支持層を選定するプログラムであって、前記調査データに基づき、各調査地点の支持力を算出する算出ステップと、その算出ステップで算出される前記支持力が前記支持層として選定され得る条件である第１規定値を満足するか否かを判断する第１判断ステップと、その第１判断ステップで前記第１規定値を満足すると判断された前記調査地点のうち、連続する少なくとも２以上の調査地点について、地表面に最も近い調査地点から地表面から最も離れた調査地点までの間隔が前記支持層として選定され得る条件である第２規定値を満足するか否かを判断する第２判断ステップと、その第２判断ステップで前記第２規定値を満足すると判断された前記少なくとも２以上の調査地点を前記支持層として選定し、その選定した調査地点の深度だけを深度に応じて区画されている表示欄に表示させる第１表示ステップとを備えている。
【０００８】
【０００９】
請求項２に記載の支持層選定プログラムは、請求項１に記載の支持層選定プログラムにおいて、前記第１表示ステップは、前記支持層として選定された調査地点のうち、最も地表面に近い１つの調査地点の深度だけを表示させる。
【００１０】
請求項３に記載の支持層選定プログラムは、請求項１又は２に記載の支持層選定プログラムにおいて、前記算出ステップで算出される前記支持力が、前記支持層として選定され得る条件であって前記第１規定値よりも厳しい条件である第３規定値を満足するか否かを判断する第３判断ステップと、その第３判断ステップで前記第３規定値を満足すると判断された調査地点の深度だけを深度に応じて区画されている表示欄に表示させる第２表示ステップと、その第２表示ステップで表示される前記調査地点の深度のうちから、操作者が所定の調査地点の深度を選択したか否かを検出する検出ステップとを備えている。
【００１１】
【００１２】
請求項４に記載の支持層選定プログラムは、請求項３に記載の支持層選定プログラムにおいて、前記検出ステップで操作者が所定の調査地点の深度を選択したことが検出された場合に、その操作者が指定した所定の調査地点を前記支持層として選定し、操作者が選択した所定の調査地点の深度だけを表示させる第３表示ステップを備えている。
【００１３】
請求項５に記載の支持層選定プログラムは、請求項１から４のいずれかに記載の支持層選定プログラムにおいて、前記支持層として選定された調査地点の深度に対応した地盤改良工法を予め記憶手段に記憶されている深度に応じた地盤改良工法から抽出し、その抽出した地盤改良工法を表示させる第４表示ステップを備えている。
【００１４】
【００１５】
【００１６】
【００１７】
【００１８】
【００１９】
【００２０】
【発明の効果】
請求項１に記載の支持層選定プログラムによれば、支持層として選定された調査地点の深度だけが深度に応じて区画されている表示欄に表示される。よって、支持層として選定された調査地点と、他の調査地点とを明確に区別することができ、支持層として採用し得る地層を簡易かつ的確に選定することができるという効果がある。
また、支持層として選定される調査地点は、第１規定値に加え、第２規定値を満足する連続する少なくとも２以上の調査地点が選定される。支持層として選定される調査地点は、所定の強度を持った地層が所定間隔以上存在している必要がある。例えば、第１規定値を満足する調査地点が、第１規定値を満足しない調査地点に挟まれているような場合には、たとえ、その調査地点が第１規定値を満足する地点であっても支持層としては選定することはできない。しかし、このように、支持層として選定される調査地点は、第２規定値を満足しているので、第１規定値を満足する調査地点の地層の厚みを考慮する必要はなく、その表示された情報さえ見れば、支持層として採用し得る地層を一層、簡易かつ的確に選定することができるという効果がある。
【００２１】
請求項２に記載の支持層選定プログラムによれば、請求項１記載の支持層選定プログラムの奏する効果に加え、支持層として選定された調査地点のうち、最も地表面に近い１つの調査地点の深度だけを表示させる。よって、支持層として採用し得る地層が調査範囲内に２以上存在する場合であっても、その中で最も適当な支持層を的確に選定することができる。従って、支持層として採用し得る地層を更に、簡易かつ的確に選定することができるという効果がある。
【００２２】
請求項３に記載の支持層選定プログラムによれば、請求項１又は２に記載の支持層選定プログラムの奏する効果に加え、支持層として選定され得る条件であって前記第１規定値よりも厳しい条件である第３規定値を満足する調査地点については、その調査地点の深度だけが第２表示ステップにより表示され、検出ステップにより、その表示された調査地点の中から操作者が所望する調査地点の深度を選択したか否かが検出される。よって、支持層を一義的に選定できるのに加え、操作者の意思を反映した調査地点を支持層として選定することもできるという効果がある。
【００２３】
【００２４】
請求項４に記載の支持層選定プログラムによれば、請求項３に記載の支持層選定プログラムの奏する効果に加え、検出ステップにより操作者が所定の調査地点の深度を選択したことが検出された場合には、操作者が指定した所定の調査地点を支持層として選定し、操作者が選択した所定の調査地点の深度だけが表示される。よって、操作者が支持層として指定した調査地点を一見して認識することができるという効果がある。
【００２５】
請求項５に記載の支持層選定プログラムによれば、請求項１から４のいずれかに記載の支持層選定プログラムの奏する効果に加え、第４表示ステップにより、支持層として選定された調査地点の深度に対応した地盤改良工法が予め記憶手段に記憶されている深度に応じた地盤改良工法から抽出され、その抽出した地盤改良工法が表示される。よって、支持層に対する地盤改良を如何なる工法で行えば良いのかを即座に認識することができるという効果がある。
【００２６】
【００２７】
【００２８】
【００２９】
【発明の実施の形態】
以下、本発明の好ましい実施例について、添付図面を参照して説明する。本実施例の支持層選定プログラムを搭載した支持層選定装置１００（図３参照）は、スウェーデン式サウンディング試験（日本工業規格  ＪＩＳ  Ａ１２２１）によって得られた地盤調査データから推定地耐力データＦｅを算出し、算出された推定地耐力データＦｅに基づいて、支持層とし得る地層を容易に識別（選定）できるように表示する装置である。支持層とは、建造物が建設された場合に、その建造物を支持することができると判断される地層である。
【００３０】
まず、図１と図２とを使用して、スウェーデン式サウンディング試験による地盤調査データの測定方法について説明する。住宅などの建造物を建設する場合には、建設予定箇所（建設用地）の地盤が、予定される建造物を建設し得る地盤であるか否かを調査する必要がある。スウェーデン式サウンディング試験（日本工業規格  ＪＩＳ  Ａ１２２１）は、かかる地盤調査の手法の１つであり、地盤状態を示す地盤調査データを深さ方向に測定する試験方法である。
【００３１】
図１は、一例として、スウェーデン式サウンディング試験による被測定領域を示した図である。建造物は、隣地境界線或いは道路境界線によって囲まれた建設用地に建設される。被測定領域は、この建設用地において建造物が建設される領域、即ち上物の建造物を指示する地盤部分である。図１においては、かかる被測定領域は２点鎖線で囲まれた領域で示されている。
【００３２】
スウェーデン式サウンディング試験では、１の建設用地（被測定領域）で、原則として、３箇所以上の測定が行われる。本実施例では、図１に示すようにＮｏ１〜Ｎｏ５で示される５箇所が測定箇所とされている。Ｎｏ１の測定箇所は、被測定領域の上方左角に、Ｎｏ２の測定箇所は、被測定領域の上方右角に、Ｎｏ３の測定箇所は、被測定領域の下方右角に、Ｎｏ４の測定箇所は、被測定領域の下方左角に、Ｎｏ５の測定箇所は、被測定領域の略中央部に、それぞれ設けられている。
【００３３】
上記したように、支持層とは、建造物が建設された場合に、その建造物を支持することができると判断される地層であり、言い換えれば、所定強度以上を有する地層（所定強度以上を有する地層が所定厚以上連続して存在する地層）である。建造物が戸建住宅では、例えば、地層の推定地耐力が２０ｋＮ以上であることを１つの条件とし、マンションなどの大型建造物では、地層の推定地耐力が５０ｋＮ以上であることを１つの条件として支持層が選定されている。かかる支持層は、表層に存在することは少なく、一般には、地表から堀下がった地下に存在する。
【００３４】
地表からの深度が深くなると、最終的には締まった砂や硬い粘土層などで構成される強固な地層に到達する。また、強固な地層に到達する前に、住宅地盤として良好なローム層と称される安定な地層が存在する場合もあれば、軟弱層が何ｍにも渡って存在する場合もある。建造物を建設する場合には、支持層を選定すると共に、選定した支持層までの深度に応じた地盤改良を実行して、建造物を建設する地盤とすることが必要となる。このため、スウェーデン式サウンディング試験によって、地盤状態を示す地盤調査データが測定される（地盤の強度が深さ方向に測定される）のである。
【００３５】
図２は、スウェーデン式サウンディング試験機１０を示した図である。スウェーデン式サウンディング試験機１０は、各測定箇所（Ｎｏ１〜Ｎｏ５）において地盤調査データを測定する。このスウェーデン式サウンディング試験機１０は、作業者によって装置に回転力を負荷するためのハンドル１を備えている。このハンドル１の中央部には、棒状のロッド５を取着するためのＴ継手が備えられている。棒状のロッド５の１端部は、このＴ継手によってハンドル１に着脱可能に取着され、ハンドル１とロッド５とは、互いに直角をなす方向に配設される。
【００３６】
ハンドル１の取着側とは反対側のロッド５の他端部（先端部）には、低摩耗性の鋼によって形成されたスクリューポイント７が備えられている。スクリューポイント７は、ロッド５に対し着脱可能に取着され、スクリュー形状に形成されている。
【００３７】
ロッド５の１端部と他端部（先端部）との間には、ロッド５を貫通させる貫通口を有した載荷用クランプ３が備えられている。載荷用クランプ３は、スクリューポイント７に負荷する荷重（おもり）を積載するものであり、貫通口に貫入されたロッド５に対しスライド可能に取着されている。この載荷用クランプ３は、スライドによってその位置を変更でき、作業者によってロッド上の任意のポイントで固定される。
【００３８】
この載荷用クランプ３に積載されるおもり６は、中心部に穿設された貫通口を有する金属製の円筒体である。スウェーデン式サウンディング試験機１０による試験では、５ｋｇ、１５ｋｇ、２５ｋｇ、５０ｋｇ、７５ｋｇ、１００ｋｇの荷重をスクリューポイント７に負荷する必要があるので、それぞれの荷重に応じたおもり６が用意されている。具体的には、載荷用クランプ３の重量が５ｋｇであるので、１０ｋｇのおもり６が２個、２５ｋｇのおもり６が３個用意されている。
【００３９】
次に、このスウェーデン式サウンディング試験機１０による地盤調査データの測定方法（スウェーデン式サウンディング試験）について説明する。作業者は、まず、スクリューポイント７の装着されたロッド５を地面に垂直に突き立て、載荷用クランプ３を外嵌して固定する。更にロッド５の上端（１端部）にハンドル１を取着し、ロッド５の貫入量データＬ（ｃｍ）を測定する。
【００４０】
その後は、ハンドル１を脱着し、おもり６の貫通口にロッド５を貫通させ、載荷用クランプ３におもり６を積載する。おもり６の積載は、ロッド５（スクリューポイント７）にかかる荷重が、段階的に５ｋｇ、１５ｋｇ、２５ｋｇ，５０ｋｇ，７５ｋｇ，１００ｋｇとなるように、１０ｋｇのおもり６または２５ｋｇのおもり６を１枚ずつ載せることにより行われる。作業者は、おもり６を１枚載せる毎、ロッド５が下方に沈むかどうかを観察すると共に、その貫入量データＬを測定する。
【００４１】
全おもり６（荷重１００ｋｇ）の積載が終了した場合に、ロッド５の沈み込みがなく静止している場合には、ハンドル１を回転させ、先端のスクリューポイント７で土を掘進しながら強制的にロッド５を貫入させる。そして、ロッド５を２５ｃｍ貫入させるためにハンドル１を何回転させたかを測定する。ハンドル１の回転数は、１８０度（半回転）を１回とカウントする「半回転数Ｎａ」で表される。すなわち、３６０度回せば２回となるので、半回転数Ｎａは「２」となる。この半回転数Ｎａの測定は、予め定められ終了条件（例えば、測定深度が１０ｍに達するなど）を満たすことにより終了する。かかる試験により、支持層を選定するための地盤調査データとして、載荷用クランプ３に搭載した荷重を示す荷重データＷｓｗと、ロッド５の貫入量データＬと、半回転数Ｎａとが得られる。
【００４２】
図３は、本実施例の支持層選定プログラムを搭載した支持層選定装置１００の電気的構成を示したブロック図である。支持層選定装置１００は、上記したスウェーデン式サウンディング試験により得られた地盤調査データ（荷重データＷｓｗとロッド５の貫入量データＬと半回転数Ｎａ）に基づいて、被測定領域の地盤（地層）の強度（推定地耐力データＦｅ）と、地層の深度（貫入深さデータＤ）とを算出する。そして、この推定地耐力データＦｅと貫入深さデータＤとから、支持層として使用できる地層の深度（貫入深さデータＤ）を示す処理を実行するものである。
【００４３】
この支持層選定装置１００は、データの入力装置であるキーボード１０７と、そのキーボードから入力される入力データに基づいた演算を行う主制御部Ｃ（コンピュータ本体）と、その主制御部で行われる各処理をモニタするためのＣＲＴディスプレイ１０８と、主制御部Ｃで実行された演算結果を出力するためのプリンタ１１０とを備えている。
【００４４】
主制御部Ｃは、演算装置であるＣＰＵ１０１と、不揮発性のメモリであるＲＯＭ１０２と、ＲＡＭ１０３と、入出力ポート１０４と、ハードディスク１０６とを備えている。ＲＯＭ１０２は、ＣＰＵ１０１により実行される各種の制御プログラム（バイオス（ＢＩＯＳ）と称されるプログラムなど）や固定値データを記憶するためのメモリである。ＲＡＭ１０３は、ＣＰＵ１０１による各種プログラムの実行時に使用されるデータを一時的に記憶するためのメモリである。このＲＡＭ１０３は、計算値メモリ１０３ａと、表示値メモリ１０３ｂと、中間値メモリ１０３ｃと、深度メモリ１０３ｄとを備えている。
【００４５】
計算値メモリ１０３ａは、第１〜第ｍ計算値メモリ１０３ａ１〜１０３ａｍの複数のメモリで構成されている。この計算値メモリ１０３ａは、支持層選定装置１００に入力された地盤調査データと、地盤調査データに基づいて算出される算出データとを記憶するためのメモリである。地盤調査データの入力は、後述する測定値入力処理（図１１参照）によって表示される測定結果入力画面５０（図５参照）上で実行される。
【００４６】
ここで、測定結果入力画面５０は、次画面表示コマンドによって、第１〜第ｍの複数の画面が展開されるようになっており、１の測定箇所の地盤調査データは１の画面に入力するものとされている。これにより、ＲＡＭ１０３には、測定箇所数に対応した計算値メモリ１０３ａが設けられることとなる。本実施例では、５の測定箇所において地盤調査データが取得されているので、第１〜第５計算値メモリ１０３ａ１〜１０３ａ５の５の計算値メモリが設けられる。
【００４７】
また、ＣＰＵ１０１は、最初に表示される画面を測定結果入力画面５０の第１画面として認識し、以降に表示される画面を順に第２画面、第３画面、・・・、第ｍ画面として認識する。この測定結果入力画面５０の第１画面と第１計算値メモリ１０３ａ１、第２画面と第２計算値メモリ１０３ａ２、第３画面と第３計算値メモリ１０３ａ３、・・・、第ｍ画面と第ｍ計算値メモリ１０３ａｍとは、それぞれ対応付けられている。故に、測定結果入力画面５０の各画面に入力された地盤調査データは、ＣＰＵ１０１により、対応する第１〜第ｍ計算値メモリ１０３ａ１〜１０３ａｍのそれぞれへ書込まれる。
【００４８】
更に、第１〜第ｍ計算値メモリ１０３ａ１〜１０３ａｍには、地盤調査データに基づいて算出される算出データの内、対応する測定結果入力画面上の地盤調査データに基づいて算出された算出データについても、それぞれ対応するメモリにおいて記憶される。
【００４９】
具体的には、この計算値メモリ１０３には、地盤調査データとして、荷重データＷｓｗ、半回転数Ｎａ、貫入量データＬ、推定土質データとが記憶される。また、算出データとして、貫入深さデータＤ、１ｍ当たりの半回転数Ｎｓｗ、換算Ｎ値、推定地耐力データＦｅとが記憶される。また、地盤調査データおよび算出データは、各データが表示された位置を示すデータ表示欄の番号（データ表示欄番号）と、データの種別を示すデータコードとが付加された状態で、各計算値メモリ１０３（第１〜第ｍ計算値メモリ１０３ａ１〜１０３ａｍ）に記憶される。
【００５０】
表示値メモリ１０３ｂは、第１〜第ｍ表示値メモリ１０３ｂ１〜１０３ｂｍの複数のメモリで構成されている。この表示値メモリ１０３ｂは、最も地表に近い支持層の深度（貫入深さデータＤ）を記憶するメモリである。本実施例では、最終貫入深さに到達するまで継続する２０ｋＮ以上の地層、および最終貫入深さに到達するまで継続する５０ｋＮ以上の地層を支持層として選定しているので、選定された支持層の地表側の深度（最小深度）がこの表示値メモリ１０３ｂには記憶される。
【００５１】
具体的には、２０ｋＮを基準として選定された支持層の各地層の貫入深さデータＤの内、最も小さな貫入深さデータＤが選択され、その貫入深さデータＤが、２０ｋ表示コードと共に支持層の最小深度として表示値メモリ１０３ｂに記憶される。また、５０ｋＮを基準として選定された支持層の各地層の貫入深さデータＤの内、最も小さな貫入深さデータＤが選択され、その貫入深さデータＤが、５０ｋ表示コードと共に支持層の最小深度として表示値メモリ１０３ｂに記憶される。かかる最小深度の抽出は、各計算値メモリ１０３ａ（第１〜第ｍ計算値メモリ１０３ａ１〜１０３ａｍ）毎に、後述する地耐力算出処理（Ｓ５）によって実行される。
【００５２】
また、第１〜第ｍ表示値メモリ１０３ｂ１〜１０３ｂｍのそれぞれと、第１〜第ｍ計算値メモリ１０３ａ１〜１０３ａｍのそれぞれとは、互いに対応付けられている。本実施例では、上記したように、第１〜第５計算値メモリ１０３ａ１〜１０３ａ５の５の計算値メモリが設けられているので、表示値メモリ１０３ｂは第１〜第５表示値メモリ１０３ｂ１〜１０３ｂ５の５のメモリで構成される。
【００５３】
最終深度は、第１〜第ｍ計算値メモリ１０３ａ１〜１０３ａｍに記憶される貫入深さデータＤに基づいて抽出されるので、抽出された最小深度は、抽出元の計算値メモリ１０３ａに対応する第１〜第ｍ表示値メモリ１０３ｂ１〜１０３ｂｍにそれぞれに記憶される。第１〜第ｍ表示値メモリ１０３ｂ１〜１０３ｂｍのそれぞれに記憶された最小深度は、後述する調査結果表８１の対応するデータ表示欄８３に各々表示され得るデータとなる。
【００５４】
中間値メモリ１０３ｃは、第１〜第ｍ中間値メモリ１０３ｃ１〜１０３ｃｍの複数のメモリで構成されている。この中間値メモリ１０３ｃは、支持層として選定された中間層の深度を記憶するためメモリである。中間層とは、支持層に到達するまでに存在する良好な地層（所定以上の推定地耐力を有する地層）であり、所定厚以上であれば支持層に代替し得る（支持層として選定し得る）地層である。本実施例の支持層選定装置１００では、３０ｋＮ以上の推定地耐力を有する地層を中間層として判定している。
【００５５】
第１〜第ｍ中間値メモリ１０３ｃ１〜１０３ｃｍのそれぞれと、第１〜第ｍ計算値メモリ１０３ａ１〜１０３ａｍのそれぞれとは、互いに対応付けられている。本実施例では、上記したように、第１〜第５計算値メモリ１０３ａ１〜１０３ａ５の５の計算値メモリが設けられているので、中間値メモリ１０３ｂは第１〜第５中間値メモリ１０３ｃ１〜１０３ｃ５の５のメモリで構成される。
【００５６】
中間層を支持層とする選定（中間層の選定）は、後述する推定地耐力表示画面６０におけるオペレータの入力操作によって、貫入深さデータＤを指定することにより実行される。推定地耐力表示画面６０には、各計算値メモリ１０３ａ（第１〜第ｍ計算値メモリ１０３ａ１〜１０３ａｍ）毎、つまり、測定箇所毎に、中間層と判定された地層の深度（貫入深さデータＤ）が表示されるようになっている。また、第１〜第ｍ中間値メモリ１０３ｃ１〜１０３ｃｍは、推定地耐力表示画面６０における貫入深さデータＤの表示位置と対応している。
【００５７】
かかる推定地耐力表示画面６０において、オペレータの入力操作によって、中間層が選定されると、その選定された中間層を示す貫入深さデータは、対応する中間値メモリ１０３ｃに記憶されることとなるのである。この第１〜第ｍ中間値メモリ１０３ｃ１〜１０３ｃｍのそれぞれに記憶された中間層の深度は、後述する調査結果表８１の対応するデータ表示欄８３に支持層として各々表示される。
【００５８】
また、本実施例では、第１〜第ｍ中間値メモリ１０３ｃ１〜１０３ｃｍのそれぞれと第１〜第ｍ表示値メモリ１０３ｂ１〜１０３ｂｍとは、互いに対応付けられている。このため、測定箇所（測定箇所番号）と、１の計算値メモリ１０３ａと、１の表示値メモリ１０３ｂと、１の中間値メモリ１０３ｃとは、支持層選定装置１００において、関連づけて管理されるのである。
【００５９】
深度メモリ１０３ｄは、第１〜第ｍ深度メモリ１０３ｄ１〜１０３ｄｍの複数のメモリで構成されている。第１〜第ｍ深度メモリ１０３ｄ１〜１０３ｄｍのそれぞれと第１〜第ｍ計算値メモリ１０３ａ１〜１０３ａｍのそれぞれとは、互いに対応付けられている。このため、深度メモリ１０３ｄについても、第１〜第５深度メモリ１０３ｄ１〜１０３ｄ５の５のメモリで構成されている。
【００６０】
この深度メモリ１０３ｄは、自沈層として選定された地層の深度（貫入深さデータＤ）を記憶するためのメモリである。自沈層とは、建造物の建設により地盤沈下が発生する自重沈下が予測される地層である。この自沈層の判定は、スウェーデン式サウンディング試験によって測定される反回転数Ｎａが「０」であることを指標として、各計算値メモリ１０３ａ（第１〜第ｍ計算値メモリ１０３ａ１〜１０３ａｍ）毎に、後述する自沈確定処理（Ｓ６）によって実行される。
【００６１】
自沈層の選定は、後述の自沈表示画面７１でのオペレータの入力操作に基づいて行われる。ここで、自沈表示画面７１には、測定箇所毎、即ち各計算値メモリ１０３ａ毎に対応付けられてデータが表示されているので、オペレータにより自沈層を選定する操作（貫入深さデータＤの指定）が実行されると、この選定された自沈層の深度（貫入深さデータＤ）のみが、その指定データの記憶されている計算値メモリ１０３ａに対応する深度メモリ１０３ｄ（第１〜第ｍ深度メモリ１０３ｄ１〜１０３ｄｍの対応するメモリ）に書込まれ、記憶されることとなる。
【００６２】
なお、この第１〜第ｍ深度メモリ１０３ｄ１〜１０３ｄｍに記憶された自沈層を示す貫入深さデータＤは、図８に示した調査結果表示画面８０に表示される。
【００６３】
上記したＣＰＵ１０１、ＲＯＭ１０２、ＲＡＭ１０３は、バスライン１０４を介して相互に接続され、このバスライン１０４は、また、入出力ポート１０５に接続されている。入出力ポート１０５は、バスライン１０４以外にハードディスク１０６、キーボード１０７、ＣＲＴディスプレイ１０８、インターフェース１０９に接続されている。
【００６４】
ハードディスク１０６は、書き換え可能な大容量の記憶装置（メモリ）であり、電源断後もデータを保持する不揮発性のメモリである。このハードディスク１０６は、制御プログラム１０６ａと、工法データメモリ１０６ｂと、書式メモリ１０６ｃと、データベースエリア１０６ｄとを備えている。
【００６５】
制御プログラム１０６ａは、支持層選定装置１００で実行されるシステム動作を制御するプログラムであり、支持層選定プログラムとして動作するプログラムである。また、制御プログラム１０６ａは、ＣＰＵ１０１により実行されるハードディスク１０６の制御プログラムやオペレーティングシステムのプログラムを備えている。後述する図１０〜図１８に示すフローチャートのプログラムなどは、この制御プログラム１０６ａの一部として記憶されている。
【００６６】
工法データメモリ１０６ｂは、地盤改良の工法に関する情報を記憶するメモリである。この工法データメモリ１０６ｂに記憶される情報について、図４を参照して説明する。図４は、工法データメモリ１０６ｂに記憶される情報をテーブル形式で表示した工法テーブル４１を示した図である。この工法テーブル４１には、「貫入深さデータ」欄４１ａと「工法」欄４１ｂとが備えられている。「貫入深さデータ」欄４１ａには、工法データメモリ１０６ｂに記憶されている範囲データが表示されている。範囲データは、貫入深さデータＤの深度を指定するデータであり、「貫入深さデータ」欄４１ａの各欄には、この範囲データが、上から順に、（「Ｄ」を貫入深さデータＤとして）「Ｄ＜１ｍ」、「１ｍ≦Ｄ＜６ｍ」、「６ｍ≦Ｄ」と表示されている。
【００６７】
「貫入深さデータ」欄４１ａの右方には、「工法」欄４１ｂが設けられている。この「工法」欄４１ｂには、工法データメモリ１０６ｂに記憶されている地盤改良の工法に関する情報であって、その左方の「貫入深さデータ」欄４１ａの各欄の範囲データのそれぞれに対応する情報が表示されている。
【００６８】
具体的には、「貫入深さデータ」欄４１ａの範囲データ「Ｄ＜１ｍ」（改良地盤の深度が１ｍ未満）に対応する「工法」欄４１ｂには、「を根切り、機械転圧等により締め固める「つき固め」」と記された文字データ４１ｃが表示されている。また、「貫入深さデータ」欄４１ａの範囲データ「１ｍ≦Ｄ＜６ｍ」（改良地盤の深度が１ｍ以上６ｍ未満）に対応する「工法」欄４１ｂには、「の軟弱土に固化材（セメント系）を混合撹拌して安定化させる「科学的地盤改良工法」」と記された文字データ４１ｄが表示されている。更に、「貫入深さデータ」欄４１ａの範囲データ「６ｍ≦Ｄ」（改良地盤の深度が６ｍ以上）に対応する「工法」欄４１ｂには、「の”良質な締まり”の地層への回転（鋼管杭）または打撃・埋め込み（コンクリート抗）による「杭基礎工法」」と記された文字データ４１ｅが表示されている。
【００６９】
図４に文字データ４１ｃ〜４１ｅで示したように、地盤改良の工法には、「つき固め」工法、「科学的地盤改良工法」、「杭基礎工法」とがあり、支持層の深度に応じて最適な地盤改良の工法は異なっている。支持層選定装置１００においては、支持層の深度に応じて、その工法の情報が閲覧者に提供されように、工法データメモリ１０６ｂには、各範囲データに対応つけて、地盤改良の工法に関する情報（文字データ）が記憶されている。
【００７０】
また、工法データメモリ１０６ｂには、この地盤改良の工法に関する情報は、工法指示画面９１に表示することにより閲覧者に提供する情報であり、図４に示した文字データ４１ｃ〜４１ｅで記憶されている。
【００７１】
このように、工法データメモリ１０６ｂに、範囲データと地盤改良の工法に関する情報とが対応つけて記憶されているので、支持層の深度（貫入深さデータＤ）が指定されると、ＣＰＵ１０１は、この工法データメモリ１０６ｂを参照し、指定の貫入深さデータＤに応じた地盤改良の工法を工法指示表９１に表示することができるのである。
【００７２】
書式メモリ１０６ｃは、ＣＲＴディスプレイ１０８に表示される各画面の書式を記憶するメモリである。具体的には、書式メモリ１０６ｃには、測定結果入力画面５０（図５参照）、推定地耐力表示画面６０（図６参照）、自沈表示画面７１（図７参照）、調査結果表示画面８０（図８及び図９参照）の書式データが記憶されている。書式メモリ１０６ｃに記憶される各書式データは、その画面の出力時に書式メモリ１０６ｃから読み出される。ＣＲＴディスプレイ１０８には、読出された書式データに基づいてそれぞれの画面が表示される。
【００７３】
データベースエリア１０６ｄは、オペレータにより保存が指示された地盤調査データなどのデータを（長期的に）記憶するためのメモリである。このデータベースエリア１０６ｄに記憶された地盤調査データは、所定の操作によりこのデータベースエリア１０６ｄから読み出すことができ、読み出された地盤調査データは、所定の操作により、計算値メモリ１０３ａに書き込まれる。つまり、本実施例の支持層選定装置１００では、入力された地盤調査データに基づいて直ちに支持層を選定する処理を実行するのみならず、データベースエリア１０６ｄに記憶された地盤調査データに基づいても、支持層を選定するための処理を実行することができる。
【００７４】
インターフェース１０９は、異なる装置間の電気的な接点の規格であり、支持層選定装置１００の主制御部Ｃとプリンタ１１０とを接続するためのものである。このインターフェース１０９は、複数の信号線で同時に複数のビットを転送するパラレル転送方式のセントロニクス仕様のものである。主制御部Ｃは、このインターフェース１０９を介することにより、プリンタ１０９に印刷データを送信でき、プリンタ１０９に印刷を実行させることができる。
【００７５】
図５は、上記のように構成される支持層選定装置１００に地盤調査データを入力するための測定結果入力画面５０を示した図である。この測定結果入力画面５０は、測定値入力処理の実行がオペレータにより要求されると（測定値の入力要求）、ＣＲＴディスプレイ１０８に表示される画面である。上記したように、測定結果表示画面５０は複数の画面を表示することができるように構成されており、表示される画面数は、オペレータにより（次画面表示コマンドの入力により）指定される。ＣＰＵ１０１は、最初に表示される画面を測定結果入力画面５０の第１画面、以降に表示される画面を順に第２画面、第３画面、・・・、第ｍ画面として認識する。本実施例では、測定箇所Ｎｏ１〜Ｎｏ５に応じて、測定結果入力画面５０は、第１〜第５画面の５つの画面で形成される。各画面の構成は同じであるので、第１画面を使用して測定結果入力画面５０について説明する。
【００７６】
測定結果入力画面５０には、測定場所や試験日など、建設用地を特定するための識別情報を入力する識別情報入力部５１と、地盤調査データを入力するための測定結果入力表５２とが備えられている。
【００７７】
識別情報入力部５１には、調査対象を表示するための「調査名」欄、測定場所を表示するための「調査位置」欄、被測定領域内での測定箇所を表示するための「測定番号」欄５１ａ、試験日を表示するための「試験年月日欄」、試験者を表示するための「試験者」欄、最終貫入深さを表示するための「最終貫入深さ」欄などが設けられている。各欄には、入力欄がそれぞれ設けられており、かかる入力欄には、キーボード１０７の入力操作により、数値や文字などが入力されるようになっている。
【００７８】
測定結果入力表５２には、左から順に、「推定水位」欄、「標高」欄、「荷重」欄５３、「半回転数」欄５４、「貫入深さ」欄５５、「貫入量」欄５６、「算出半回転数」欄５７と、「換算Ｎ値」欄５８、「推定土質」欄５９が備えられている。各欄５３〜５７の最上部には種目欄５３ａ〜５７ａが設けられており、それぞれ入力（表示）されるデータの種目が表示されている。また、各種目欄５３ａ〜５７ａの下方には、種目欄５３ａ〜５７ａの表示に応じたデータを入力（表示）するための、複数の欄で構成されるデータ表示欄５３ｂ〜５７ｂが設けられている。
【００７９】
各データ表示欄５３ｂ〜５７ｂは、その最上段の欄から下方の欄に向かって１〜ｎの番号が付与された第１欄〜第ｎ欄で構成されている。ｎは、最終貫入深さに到達するまでに測定された地盤調査データ（荷重データＷｓｗと半回転数Ｎａと貫入量データＬ）の数（測定回数）であり、測定状況によって異なる数である。本実施例では、被測定領域の測定箇所Ｎｏ１では、最終貫入深さに到達するまでに３６回の測定が実行され、３６の地盤調査データが取得されている。よって、図５に示した測定結果入力表５２のデータ表示欄５３ｂ〜５７ｂは、第１欄〜第３６欄で構成されている。データを入力する欄は、非図示のカーソルによるポイントによって指定される。
【００８０】
「荷重」欄５３のデータ表示欄５３ｂ（第１欄〜第３６欄）は、荷重データＷｓｗが、ｋＮ（キロニュートン）で入力（表示）される欄である。上記したように、本実施例では、Ｎｏ１の測定箇所において３６回の測定が行われているので、３６の荷重データＷｓｗのそれぞれが、第１〜第３６欄のそれぞれに（データの取得順に）入力される。第１〜第３６欄に入力される荷重データＷｓｗはｋＮを単位としているので、例えば、載荷用クランプ３に積載されたおもり６が５ｋｇであれば、「荷重」欄５３のデータ表示欄５３ｂには、「０．０５」が入力される。
【００８１】
「半回転数」欄５４のデータ表示欄５４ｂ（第１欄〜第３６欄）は、測定された半回転数Ｎａが入力（表示）される欄である。「貫入量」欄５６のデータ表示欄５６ｂ（第１欄〜第３６欄）は、測定により得られた貫入量データＬが入力（表示）される欄である。「推定土質」欄５９のデータ表示欄５９ｂ（第１欄〜第３６欄）は、測定箇所Ｎｏ１（被測定領域）の地層の土質を入力（表示）する欄である。各地層の土質は、スウェーデン式サウンディング試験時の地盤切削音や、近隣の地層の調査資料などから決定される。
【００８２】
「半回転数」欄５４のデータ表示欄５４ｂ、「貫入量」欄５６のデータ表示欄５６ｂ、「推定土質」欄５９のデータ表示欄５９ｂの第１欄〜第３６欄は、その左方に表示される「荷重」欄５３の第１欄〜第３６欄のそれぞれに対応している。つまり、測定結果入力表５２の１のデータ表示欄に並列に表示される各データは、「荷重」欄５３に表示される荷重がスクリューポイント７に負荷された際に得られた地盤調査データとしてＣＰＵ１０１に認識される。このため、オペレータは、１の荷重データと、その負荷により得られた対応する地盤調査データを、並列する同じ番号のデータ表示欄へ入力する。
【００８３】
これにより、「貫入深さ」欄５５、「算出半回転数」欄５７、「換算Ｎ値」欄５８には、入力された地盤調査データに基づいて算出された貫入深さデータＤ、１ｍあたりの半回転数Ｎｓｗ、換算Ｎ値がそれぞれ表示され、また、１の測定で得られた地盤調査データに基づいて算出されたデータが、算出元の地盤調査データと並列されるようにデータ表示欄５５ｂ，５７ｂ，５８ｂに表示される。
【００８４】
測定結果入力画面５０の表示状態で、終了コマンドが入力されると、測定結果入力画面５０の表示は終了され、作成された第１画面〜第ｍ画面に表示されている地盤調査データおよび算出データのそれぞれには、データ表示欄の番号（データ表示欄番号）と、データの種別を示すデータコードとが付加された後、画面の番号に対応する計算値メモリ１０３ａに書き込まれる。
【００８５】
また、データの保存を指定する保存コマンドが入力されると、測定結果入力画面５０に表示されたデータは、各画面毎に、ハードディスク１０６のデータベースエリア１０６ｄに書き込まれる。
【００８６】
図６は、推定地耐力表示画面６０を示した図である。推定地耐力表示画面６０は、入力された地盤調査データに基づいて算出された推定地耐力データＦｅと基準の推定地耐力データＦｅとの比較結果に基づいて、支持層（中間層）と判定された地層の深度（貫入深さデータＤ）を表示する推定地耐力表６１を備えている。
【００８７】
支持層選定装置１００は、推定地耐力表６１において、測定値（地盤調査データ）の得られた地層の深度の内、支持層または中間層と判定された地層の深度（貫入深さデータＤ）のみを表示し、他の地層の深度（貫入深さデータＤ）を非表示とするように構成されている。
【００８８】
推定地耐力表６１は、測定箇所毎に区分けされた表示エリアを備え、貫入深さデータＤは、その測定箇所に応じた表示エリアに表示される。表示エリアは、データの書込が実行された計算値メモリ１０３ａの数に対応して設けられる。本実施例では、測定箇所はＮｏ１〜Ｎｏ５の５カ所で測定された地盤調査データが、第１〜第５計算値メモリ１０３ａ１〜１０３ａ５に記憶されているので、推定地耐力表６１は、５の表示エリア（第１〜第５表示エリア６１ａ〜６１ｅ）を備えている。
【００８９】
また、第１計算値メモリ１０３ａ１と第１表示エリア６１ａ、第２計算値メモリ１０３ａ２と第２表示エリア６１ｂ・・・のように、各計算値メモリ１０３ａと各表示エリア６１ａ〜６１ｅとはそれぞれ対応しており、各表示エリア６１ａ〜６１ｅに表示される貫入深さデータＤは、対応する計算値メモリ１０３ａに記憶されるデータから抽出される。表示する貫入深さデータＤの抽出、つまり支持層または中間層と判定して表示するか否かの判定は、後述する地耐力算出処理（Ｓ５）によって実行される。
【００９０】
各表示エリア６１ａ〜６１ｅの構成を第１表示エリア６１ａを参照して説明する。第２〜第５表示エリア６１ｂ〜６１ｅは、第１表示エリア６１ａと同様に構成されるので、その説明は省略する。
【００９１】
第１表示エリア６１ａの最上部には、測定箇所番号欄６２が設けられている。この測定箇所番号欄６２には、その下方に表示される貫入深さデータＤの所属（測定箇所）を示す測定箇所番号が表示される。測定箇所番号欄６２の下方には、左から順に、「２０ｋＮ」表示欄６３、「５０ｋＮ」表示欄６４、中間表示部６７が設けられている。
【００９２】
「２０ｋＮ」表示欄６３は、後述する２０ｋＮ判定処理（Ｓ３７）で、表示データ、即ち支持層と判定された貫入深さデータＤを表示する欄である。同様に、「５０ｋＮ」表示欄６４は、後述する５０ｋＮ判定処理（Ｓ３８）で、表示データ（支持層）と判定された貫入深さデータＤを表示する欄である。
【００９３】
中間表示部６７は、後述する中間層判定処理（Ｓ３９）で、表示データ（中間層）と判定された貫入深さデータＤ（推定地耐力データＦｅが３０ｋＮ以上である地層）を表示する中間層表示欄６５と、オペレータの入力操作によって中間層を指定するための指定欄６６とを備えている。
【００９４】
「２０ｋＮ」表示欄６３、「５０ｋＮ」表示欄６４、中間表示部６７の最上部には、その下方に表示される貫入深さデータＤを表示データとする判定条件が表示される条件表示欄６８が、それぞれ設けられている。「２０ｋＮ」表示欄６３の条件表示欄６８には、貫入深さデータＤの表示が２０ｋＮ判定表示処理（Ｓ３７）で判定されたことを示すべく「２０ｋＮ」と表示され、「５０ｋＮ」表示欄６４の条件表示欄６８には、貫入深さデータＤの表示が５０ｋＮ判定表示処理（Ｓ３８）で判定されたことを示すべく「５０ｋＮ」と表示され、中間層表示欄６５の条件表示欄６８には、貫入深さデータＤの表示が中間層判定処理（Ｓ３９）で判定されたことを示すべく「３０ｋＮ」と表示されている。
【００９５】
本実施例の支持層選定装置１００では、１の測定箇所で得られた１連の地盤調査データに基づいて、２０ｋＮ判定処理（Ｓ３７）と、５０ｋＮ判定処理（Ｓ３８）と、中間層判定処理（Ｓ３９）とを実行する。かかる３の判定処理では、それぞれに応じて設けられている判定条件に該当した地層の深度（貫入深さデータＤ）を表示データとし、「２０ｋＮ」表示欄６３、「５０ｋＮ」表示欄６４、中間層表示欄６５の対応する欄への表示を実行する。つまり、貫入深さデータＤを表示データとする処理（判定条件）が３つ存在するため、表示される貫入深さデータＤが、いずれの判定処理により表示されるデータであるかを示すために条件表示欄６８が設けられているのである。
【００９６】
各条件表示欄６８の下方には、支持層（中間層）と判定された地層の最小深度を表示する最小深度表示欄６９がそれぞれ備えられており、また、各最小深度表示欄６９の下方には、支持層または中間層と判定された貫入深さデータＤが、メートル（ｍ）を単位として表示される表示欄７０が、それぞれ設けられている。
【００９７】
表示欄７０は、その最上段の欄から下方の欄に向かって１から順に番号が付与された複数の表示欄で構成されている。貫入深さデータＤの表示先となる表示欄７０の番号は、その貫入深さデータＤに付加されているデータ表示欄番号（本実施例では１〜３６）により、指定される。このため、例えば、測定結果入力表５２の第１画面のデータ表示欄の第１欄に表示された貫入深さデータＤは、表示データとして判定されると、推定地耐力表６１の第１表示エリア６１ａの表示欄７０の第１欄（第１表示欄）に表示される。
【００９８】
推定地耐力表６１には、支持層または中間層と判定された地層の貫入深さデータＤのみが表示されるため、表示欄７０には、貫入深さデータＤが非表示となっている非表示部Ａと貫入深さデータＤが表示される表示部Ｂとが形成されている。特に、中間層表示欄６５に表示部Ｂが形成されていれば、オペレータは、一瞥するだけで中間層の存在を把握することができる。
【００９９】
具体的には、中間層表示欄６５には、貫入深さデータＤが０．７５ｍ未満（第１表示欄〜第８表示欄）で非表示部Ａが形成されており、０．７５ｍ以上１．８９ｍ以下（第９表示欄〜第１４表示欄）で表示部Ｂが形成され、更に、１．８９ｍ以上２．３３ｍ未満（第１５表示欄〜第１７表示欄）で非表示部Ａが形成されている。
【０１００】
このように、全てのデータを表示するのでなく、不要なデータを非表示とすることにより、必要なデータ、即ち、支持層の貫入深さデータＤや中間層の存在を示す貫入深さデータＤを視覚的に際立たせることができる。故に、オペレータや閲覧者に、推定地耐力表６１を一瞥させるだけで、簡易かつ的確に、支持層とし得る地層を識別させることができる。
【０１０１】
また、中間層を支持層とするための選定は、この推定地耐力表６１において、中間層と判定されて表示されている各地層の貫入深さデータＤの内、オペレータによって一対の貫入深さデータＤが指定されることによって実行される。言い換えれば、一対の貫入深さデータＤの指定がなければ、中間層は支持層として選定されない。
【０１０２】
具体的には、この選定は、中間層と判定された貫入深さデータＤの表示される表示欄７０（表示部Ｂ）の中から、１の表示欄７０を選択し、その右方の指定欄６６に「１」を入力する。更に、同じ表示部Ｂからもう１つ別の表示欄７０を選択し、その右方の指定欄６６に「２」を入力する。指定欄６６は、複数の欄で構成されており、その各欄は、それぞれ、その右方に表示されてる１の表示欄が対応している。中間層を支持層として選定するための「１」または「２」の入力は、指定欄６６において、指定する貫入深さデータＤの表示される表示欄に対応するの欄において実行される。これにより、ＣＰＵ１０１は、「１」と「２」とに対応する貫入深さデータＤにより指定された深度間の中間層を支持層として選定する。尚、複数の中間層を支持層として選定し得るように、本実施例の指定欄６６は、２列の指定欄６６で構成されている。
【０１０３】
例えば、図６においては、第１表示エリア６１ａの指定欄６６の第９欄に「１」、第１４欄に「２」が入力されたことが示されており、貫入深さデータＤが０．７５ｍ以上１．８９ｍ以下の中間層が支持層として選定されたことを示している。
【０１０４】
中間層を支持層とする選定は慎重に行う必要があり、地層の厚さを基準として画一的に選定することは好ましくない。しかし、支持層選定装置１００では、中間層の選定をオペレータの入力操作に基づいて実行できる。更に、中間層選定のために行われる貫入深さデータＤの指定に際しては、無関係な貫入深さデータＤは非表示であるのでオペレータに認識されない。このため、支持層とする中間層の選定に際し、指定する地層の深度の選択間違いを防ぐことができる。
【０１０５】
図７は、自沈確定処理（Ｓ６）において表示される自沈表示画面７１を示した図である。自沈表示画面７１は、自沈層と判定された地層の深度を貫入深さデータＤを用いて示す自沈表示表７２を表示する画面である。
【０１０６】
自沈表示表７２は、測定箇所毎に区分けされた表示エリアを備え、貫入深さデータＤは、その測定箇所に応じた表示エリアに表示される。表示エリアは、データの書込が実行された計算値メモリ１０３ａの数に対応して設けられる。本実施例では、第１〜第５計算値メモリ１０３ａ１〜１０３ａ５に対応して、自沈表示表７２は、５の表示エリア（第１〜第５表示エリア７２ａ〜７２ｅ）を備えている。
【０１０７】
また、第１計算値メモリ１０３ａ１と第１表示エリア７２ａ、第２計算値メモリ１０３ａ２と第２表示エリア７２ｂ・・・のように、各計算値メモリ１０３ａと各表示エリア７２ａ〜７２ｅとはそれぞれ対応しており、各表示エリア７２ａ〜７２ｅに表示される貫入深さデータＤは、対応する計算値メモリ１０３ａに記憶されるデータから抽出される。表示する貫入深さデータＤの抽出、つまり自沈層と判定してその貫入深さデータＤを表示するか否かの判定は、自沈確定処理（Ｓ６）によって実行される。
【０１０８】
各表示エリア７２ａ〜７２ｅの構成を第１表示エリア７２ａを参照して説明する。第２〜第５表示エリア７２ｂ〜７２ｅは、第１表示エリア７２ａと同様に構成されるので、その説明は省略する。
【０１０９】
第１表示エリア７２ａの最上部には、測定箇所番号欄７３が設けられている。この測定箇所番号欄７３には、その下方に表示される貫入深さデータＤの所属（測定箇所）に対応する測定箇所番号が表示される。測定箇所番号欄７３の下方には、左から順に、貫入深さデータ表示欄７４と自沈層指定欄７５とが設けられている。
【０１１０】
貫入深さデータ表示欄７４の最上部には、表示されるデータの種別を示す種別欄７４ａが設けられており、この種別欄７４ａには、その下方に表示されるデータが貫入深さデータＤであることを示す「Ｄ」が表示されている。種別欄７４ａの下方には、自沈層と判定された地層の貫入深さデータＤがメートル（ｍ）を単位として表示される表示欄７４ｂが設けられている。
【０１１１】
表示欄７４ｂは、その最上段の欄から下方の欄に向かって０から順に番号が付与された複数の表示欄で構成されている。貫入深さデータＤの表示先となる表示欄７４ｂの番号は、その貫入深さデータＤに付加されているデータ表示欄番号（本実施例では１〜３６）により、指定される。このため、例えば、測定結果入力表５２の第１画面のデータ表示欄の第１欄に表示された貫入深さデータＤは、自沈層と判定されると、自沈表示表７２の第１表示エリア７２ａの表示欄７４ｂの第１表示欄に表示される。
【０１１２】
この自沈表示表７２においても、推定地耐力表６１と同様に、貫入深さデータＤが非表示となっている非表示部Ａと貫入深さデータＤが表示される表示部Ｂとが形成されている。このように、自沈層とは判定されなかったデータを非表示とすることにより、必要なデータを視覚的に際立たせることができる。
【０１１３】
ここで、自沈層の選定（確定）は、自沈表示画面７１において、オペレータが一対の貫入深さデータＤが指定することによって実行される。つまり、一対の貫入深さデータＤの指定がなければ、自沈層は選定されない。
【０１１４】
この自沈層の選定は、貫入深さデータ表示欄７４に併設された自沈層指定欄７５に、オペレータが「１」および「２」を入力し、その左方の表示欄７４ｂの貫入深さデータＤを、一対で指定することにより実行される。「１」と「２」との入力により指定された貫入深さデータＤ間の地層を、ＣＰＵ１０１は、自沈層として選定する。選定された自沈層の貫入深さデータＤは、対応する深度メモリ１０３ｄに記憶される。
【０１１５】
自沈層指定欄７５は、４つの自沈層を選定できるように、４列の欄で構成されており、それぞれの欄の最上部には、各欄を示すために「第１層」、「第２層」、「第３層」、「第４層」と表示されている。
【０１１６】
図７の第１表示エリア７２ａにおいては、第１層目の自沈層を指定するための自沈層指定欄７５の第０欄に「１」、第８欄に「２」が入力されたことが示されており、貫入深さデータＤが０ｍ以上０．５３ｍ以下の地層が自沈層として選定されたことが示されている。更に、第２層目の自沈層を指定するための自沈層指定欄７５の第１４欄に「１」、第２４欄に「２」が入力されたことが示されており、貫入深さデータＤが１．８９ｍ以上３．６８ｍ以下の地層についても自沈層として選定されたことが示されている。
【０１１７】
図８は、調査結果表示処理（Ｓ７）において表示される調査結果表示画面８０の一部を示した図である。調査結果表示画面８０は、入力された地盤調査データから算出された推定地耐力データＦｅに基づいた支持層や自沈層を選定する一連の処理が完了することにより表示される画面であり、測定された地盤調査データに基づいて選定された支持層の情報等を調査結果表８１によって表示する画面である。
【０１１８】
調査結果表８１は、その最左端にデータの項目を表示する項目部８２を備えており、項目部８２の右方には、項目部８２の表示に対応するデータを表示するデータ表示欄８３が備えられている。
【０１１９】
項目部８２には、０〜９ｍまでの地盤の深度を０．５ｍの範囲ずつ負の値で表示する深度範囲表示欄８２ａが設けられている。この深度範囲表示欄８２ａの下方には、支持層として選定された中間層の深度を表示するエリアであることを示す「中間良質土」と表示された中間層指定欄８２ｂが設けられている。更に、中間層指定欄８２ｂの下方には、自沈層として選定された地層の深度を表示するエリアであることを示す「自沈沈下発生深度」と表示された自沈層層指定欄８２ｃが設けられている。
【０１２０】
データ表示欄８３は、測定箇所数に対応して設けられる第１〜第ｍデータ表示欄で構成されている。本実施例では測定箇所は５カ所であるので、これに対応して、データ表示欄８３は、第１〜第５データ表示欄８３ａ〜８３ｅの５のデータ表示欄で構成されている。また、各データ表示欄８３ａ〜８３ｅのそれぞれは、測定箇所Ｎｏ１〜Ｎｏ５のみならず、第１〜第５表示値メモリ１０３ｂ１〜１０３ｂ５、第１〜第５中間値メモリ１０３ｃ１〜１０３ｃ５、第１〜第５深度メモリ１０３ｄ１〜１０３ｄ５のそれぞれが対応する欄となっている。
【０１２１】
このデータ表示欄８３の構成を第１データ表示欄８３ａを参照して説明する。第２〜第５データ表示欄８３ｂ〜８３ｅは、第１データ表示欄８３ａと同様に構成されるので、その説明は省略する。
【０１２２】
第１データ表示欄８３ａの最上部には、測定番号欄８４が設けられている。この測定番号欄８４には、その下方に表示される貫入深さデータＤの所属（測定箇所）に対応する測定箇所番号が表示されている。図８に示したように、第１表示欄８３ａの測定番号欄８４には、「Ｎｏ１」と表示されている。
【０１２３】
測定番号欄８４の下方には、「２０ｋＮ」表示部８５と、「５０ｋＮ」表示部８６と、推定土質を表示する「推定土質」表示部８７とが並設されている。「２０ｋＮ」表示部８５は、２０ｋＮを基準として選定された支持層の最小深度を表示するエリアであり、「５０ｋＮ」表示部８６は、５０ｋＮを基準として選定された支持層の最小深度を表示するエリアである。表示される各最小深度は、第１表示値メモリ１０３ｂ１に貫入深さデータＤで記憶されている。
【０１２４】
「２０ｋＮ」表示部８５および「５０ｋＮ」表示部８６は、貫入深さデータＤの表示される複数の数値欄を備えており、各数値欄のそれぞれは、深度範囲表示欄８２ａの各欄にそれぞれ対応して設けられている。
【０１２５】
本実施例では、例えば、第１表示値メモリ１０３ｂ１には、測定箇所Ｎｏ１において２０ｋＮを基準として選定された支持層の最小深度が、「３．７５」ｍとして記憶されている。また、５０ｋＮを基準として選定された支持層の最小深度は「５．１８」ｍであるとして記憶されている。深度「３．７５」ｍは、「−３．５０〜−４．００」ｍの範囲に属するので、「−３．５０〜−４．００」と表示された深度範囲表示欄８２ａに対応する「２０ｋＮ」表示部８５の数値欄に「３．７５」が表示されている。同様に、「−５．０〜−５．５０」と表示された深度範囲表示欄８２ａに対応する「５０ｋＮ」表示部８６の数値欄に「５．１８」が表示されている。
【０１２６】
「２０ｋＮ」表示部８５および「５０ｋＮ」表示部８６の下方であって、中間層指定欄８２ｂに並行する位置には、中間良質土表示部８８が設けられており、推定地耐力表示画面６０において支持層として選定された中間層の深度（貫入深さデータＤ）が「０．８９〜１．８９」として表示されている。更に、中間良質土表示部８８の下方であって、自沈層指定欄８２ｃと並行する位置には、自沈表示部８９が設けられている。この自沈表示部８９には、自沈表示画面７１において自沈層として選定された地層の深度が「０〜０．５３」および「１．８９〜３．６８」として表示されている。このように、調査結果表示画面８０に表示される調査結果表８１によって、オペレータや閲覧者は、端的に、支持層や中間層、更には自沈層の情報を、測定箇所毎に知ることができる。
【０１２７】
図９は、調査結果表示画面８０において表示される工法指示表９１を示した図である。工法指示表９１は、支持層とする地層の深度に応じて、適切な地盤改良の工法に関する情報を提供するための表である。支持層とする地層の深度は、同じ地盤であっても、基準とする地耐力を２０ｋＮとするか５０ｋＮとするかによって異なる。このため、工法指示表９１として、２０ｋＮを基準の地耐力とした場合に対応する２０ｋＮ工法指示表９１ａと、５０ｋＮを基準の地耐力とした場合に対応する５０ｋＮ工法指示表９１ｂとが調査結果表示画面８０には表示される。
【０１２８】
更に、各測定箇所毎に得られる支持層の深度が異なることも多い。かかる場合に、各測定箇所（近傍）毎に、地盤改良を行う場合と、各支持層の深度の内、最も深い深度の支持層を基準として、より安全性の保証される地盤改良を行う場合もある。このため、選定された支持層の内、最も深い深度のものを支持層とした場合の地盤改良の工法を示す全体工法指示表９１ｃが、工法指示表９１の一つとして、調査結果表示画面８０には表示されている。
【０１２９】
２０ｋＮ工法指示表９１ａと５０ｋＮ工法指示表９１ｂとは、その左端に、測定箇所の番号を示す番号欄９２が設けられている。この番号欄９２は、測定箇所の数分（データの記憶された計算値メモリ１０３ａの数分）の番号欄９２で構成されている。本実施例では、測定箇所は５カ所であるので、５の番号欄９２が設けられている。各番号欄９２には、最上段の欄から下方に向かって大きな番号となるように、測定箇所の番号Ｎｏ１〜Ｎｏ５がそれぞれ表示されている。
【０１３０】
この番号欄９２の右方には、支持層として選定された地層の深度が表示される数値欄９３が備えられている。この数値欄９３は、各番号欄９２のそれぞれに対応する複数の欄で構成されており、各番号欄９２に対応するデータが、その右方の数値欄９３に表示される。
【０１３１】
ここで数値欄９３に表示されるデータは、各表示値メモリ１０３ｂに記憶されている貫入深さデータＤであるが、２０ｋＮ工法指示表９１ａでは、中間値メモリ１０３ｃに貫入深さデータＤが記憶されていると、該貫入深さデータＤが、対応する表示値メモリ１０３ｂに記憶されている２０ｋ表示コードの付加された貫入深さデータＤに代えて表示される。
【０１３２】
更にこの数値欄９３の右方には、数値欄９３に表示される貫入深さデータＤ（支持層の深度）に応じた工法の情報が表示される工法表示欄９４が備えられている。工法データメモリ１０６ｂには、貫入深さデータＤの範囲データに対応つけて、地盤改良の工法を示す文字データが記憶されている。故に、数値欄９３に表示される貫入深さデータＤが該当する範囲データに対応する文字データ（地盤改良の工法に関する情報）が工法データメモリ１０６ｂから読み出され、対応する工法表示欄９４に表示される。
【０１３３】
また、全体工法指示表９１ｃにおいては、測定箇所は無関係であるので、番号欄９２には「全体に」と表示される。また、数値欄９３には、５０ｋＮを基準とした場合における最も深度の深い支持層の貫入深さデータＤが表示される。そして、その貫入深さデータＤに対応する工法として工法データメモリ１０６ｂから読み出された文字データが、工法表示欄９４に表示される。
【０１３４】
更に、各工法指示表９１ａ〜９１ｃのそれぞれの下方には、注記が入力される入力欄９５が設けられている。入力欄９５は、オペレータによる任意のデータ入力が許可された欄である。オペレータは、キーボード１０７の入力操作によって、必要な情報をこの入力欄９５に入力することができる。このように、工法指示表９１の表示によって、選定された支持層の深度に応じた、適切な地盤改良の工法を、閲覧者に認識させることができる。
【０１３５】
次に、上記のように構成された支持層選定装置１００で実行される各処理を、図１０から図１８のフローチャートを参照して説明する。図１０は、支持層選定装置で実行されるメイン処理のフローチャートである。
【０１３６】
このメイン処理では、電源が投入されると各処理を実行する（Ｓ１）。電源投入時には、この各処理（Ｓ１）において、ＲＡＭ１０３の初期化などを実行する。次に、測定値の入力要求がなされたか否かを確認する（Ｓ２）。測定値の入力要求は、オペレータによりなされる所定の入力操作によってＣＰＵ１０１に認識される。ここで、測定値の入力操作がなされていなければ（Ｓ２：Ｎｏ）、その処理をＳ１の各処理に移行して、支持層選定装置１００で実行される他の処理、（例えば、印刷処理など、支持層を選定する処理以外の処理）を実行する。
【０１３７】
一方、Ｓ２の処理で確認した結果、測定値の入力要求がなされていると（Ｓ２：Ｙｅｓ）、オペレータにより入力される地盤調査データに基づいて実行される測定値入力処理が実行される（Ｓ３）。測定値入力処理（Ｓ３）の終了後は、その終了がキャンセルコマンドの入力による終了であるか否かを確認し（Ｓ４）、キャンセルコマンドの入力によるものであれば（Ｓ４：Ｙｅｓ）、その処理をＳ１の各処理に移行する。また、キャンセルコマンドの入力によるものでなければ（Ｓ４：Ｎｏ）、推定地耐力データＦｅの算出と、算出された推定地耐力データＦｅに基づいた支持層の選定を実行する地耐力算出処理を実行し（Ｓ５）、次いで、自沈層を確定するための自沈確定処理を実行する（Ｓ６）。続いて、地耐力算出処理（Ｓ５）および自沈確定処理（Ｓ６）の処理によって導出された各情報を地盤の調査結果としてＣＲＴディスプレイ１０８に表示する調査結果表示処理（Ｓ７）を実行する。この調査結果表示処理（Ｓ７）の終了後は、その処理をＳ１の各処理に移行し、必要な処理を実行する。
【０１３８】
図１１は、図１０のメイン処理の中で実行される測定値入力処理（Ｓ３）のフローチャートである。測定値入力処理（Ｓ３）では、まず、Ｘ＝１に設定し（Ｓ１１）、測定結果入力画面５０の第Ｘ画面を表示する（Ｓ１２）。これにより、測定値入力処理が開始されると、ＣＲＴディスプレイ１０８には、測定結果入力画面５０の第１画面が表示される。尚、上記したように、測定結果入力画面５０の１の画面には、オペレータにより、１の測定箇所の地盤調査データが入力される。
【０１３９】
次に、カーソルにより指示された入力欄（識別情報入力部５１の入力欄およびデータ表示欄）を入力許可状態とし（Ｓ１３）、入力許可状態とされた入力欄に、キーボード１０７の入力操作によって入力された数値または文字を表示する（Ｓ１４）。そして、測定値入力処理を中止するキャンセルコマンドが入力されたか否かを確認し（Ｓ１５）、キャンセルコマンドの入力が確認されると（Ｓ１５：Ｙｅｓ）、この測定値入力処理（Ｓ３）を終了する。一方、キャンセルコマンドの入力が確認されなければ（Ｓ１５：Ｎｏ）、算出指示コマンドが入力されたか否かを確認する（Ｓ１６）。算出指示コマンドは、入力された地盤調査データに基づいて推定地耐力データＦｅなどの算出を指示するコマンドである。測定された地盤調査データの数は、測定箇所毎に異なることが多い。よって、一義的に入力された地盤調査データの数によって入力完了を判断できない。このため、オペレータによる算出指示コマンドの入力を、１の画面における全地盤調査データの入力完了として、ＣＰＵ１０１に認識させるようになっている。
【０１４０】
ここで、算出指示コマンドの入力が確認されなければ（Ｓ１６：Ｎｏ）、その処理をＳ１５の処理に移行して、キャンセルコマンドの入力または算出指示コマンドの入力を待機する。一方、算出指示コマンドの入力が確認されると（Ｓ１６：Ｙｅｓ）、ｎ＝１と設定した後（Ｓ１７）、第ｎ欄の荷重データＷｓｗと、半回転数Ｎａと、貫入深さデータＤとから１ｍ当たりの半回転数Ｎｓｗを算出する（Ｓ１８）。具体的には、１ｍ当たりの半回転数Ｎｓｗは、荷重データＷｓｗに１００を乗じた後に貫入量データＬで除した値に、半回転数Ｎａを乗じることによって求められる（Ｎｓｗ＝１００Ｗｓｗ／Ｌ×Ｎａ）。
【０１４１】
その後、算出された１ｍ当たりの半回転数Ｎｓｗと、第ｎ欄の荷重データＷｓｗとから換算Ｎ値を算出する（Ｓ１９）。この換算Ｎ値の算出は、荷重データＷｓｗに２を乗じた値に、算出された１ｍ当たりの半回転数Ｎｓｗに０．０６７を乗じた値を加算することにより行われる（Ｎ値＝２Ｗｓｗ＋０．０６７Ｎｓｗ）。そして、Ｓ１８の処理で算出された１ｍ当たりの半回転数Ｎｓｗと、Ｓ１９の処理で算出された換算Ｎ値とを、「算出半回転数」欄５７または「換算Ｎ値」欄５８の第ｎ欄にそれぞれ表示する（Ｓ２０）。
【０１４２】
次いで、ｎ＝aであるかを確認する（Ｓ２１）。ここで、ａは、入力された地盤調査データの数であり、値の入力されたデータ表示欄数である。例えば、本実施例においては、測定結果入力画面５０の第１画面では、データ表示欄は、第３６欄まで地盤調査データが入力されているので、ａ＝３６となる。このＳ２１の処理で確認した結果、ｎ＝ａであれば（Ｓ２１：Ｙｅｓ）、１の画面に入力された全地盤調査データに対応する１ｍ当たりの半回転数Ｎｓｗと換算Ｎ値とが算出されたこととなる。
【０１４３】
故に、入力された地盤調査データおよび算出データに、データ表示欄番号ｎとデータコードとを付加して第Ｘ計算値メモリに書込む（Ｓ２２）。これにより第１〜第ｍ画面と第１〜第ｍ計算値メモリ１０３ａ１〜１０３ａｍのそれぞれとが対応付けられる。例えば、第１画面に入力された地盤調査データやその地盤調査データに基づいて算出された各データは、第１計算値メモリ１０３ａ１へ書込まれることとなる。
【０１４４】
そして、終了コマンドは入力されたか否かを確認する（Ｓ２３）。終了コマンドは、測定値入力処理の終了を指示するコマンドであり、オペレータの入力操作によって入力される。終了コマンドの入力が確認されると（Ｓ２３：Ｙｅｓ）、ＣＰＵ１０１は、測定によって得られた地盤調査データの測定結果入力画面５０への入力が完了したとして認識し、この測定値入力処理（Ｓ３）を終了する。
【０１４５】
また、終了コマンドの入力が確認されなければ（Ｓ２３：Ｎｏ）、次画面表示コマンドが入力されたか否かを確認する（Ｓ２４）。次画面表示コマンドは、測定結果入力画面５０の新たな画面の表示を要求するコマンドであり、オペレータの入力操作によって入力される。ここで、次画面表示コマンドが入力されなければ（Ｓ２４：Ｎｏ）、その処理をＳ２３の処理に戻し、終了コマンドの入力または次画面表示コマンドの入力を待機する。一方、次画面表示コマンドが入力されると（Ｓ２４：Ｙｅｓ）、Ｘ＝Ｘ＋１として画面を指定するＸの値に１加算し（Ｓ２５）、その処理をＳ１２の処理に移行する。これにより、測定結果入力画面５０の新たな画面（次画面）がＣＲＴディスプレイ１０８に表示され、新たな画面での入力操作を実行することができる。
【０１４６】
さらに、Ｓ２１の処理で確認した結果、ｎ＝ａでなければ（Ｓ２１：Ｎｏ）、ｎ＝ｎ＋１として（Ｓ２６）、データ表示欄を指定する欄番号に１加算して次の欄を指定し、その処理をＳ１８の処理に移行する。これにより、入力された全地盤調査データに対応する１ｍ当たりの半回転数Ｎｓｗと換算Ｎ値とが算出されるまで、繰り返してＳ１８〜Ｓ２０の処理が実行される。尚、測定された地盤調査データの数が測定箇所毎に異なる場合には、ａの値も、画面毎に異なる値となる。
【０１４７】
図１２は、図５のメイン処理の中で実行される地耐力算出処理（Ｓ５）のフローチャートである。この地耐力算出処理では、まず、Ｘ＝１と設定し（Ｓ３１）、次いでｎ＝１と設定する（Ｓ３２）。Ｘは、計算値メモリ１０３ａを指定する番号であり、ｎは、計算値メモリ１０３ａに記憶されているデータに付加されているデータ表示欄番号を指定する値（データ表示欄番号）である。その後、設定されたデータ表示欄番号ｎに対応して第Ｘ計算値メモリに記憶されている換算Ｎ値から、推定地耐力データＦｅを算出する（Ｓ３３）。この推定地耐力データＦｅは、換算Ｎ値に０．８を乗じた後、更に９．８１を乗じて求められる（Ｆｅ＝０．８×９．８１×Ｎ値）。
【０１４８】
その後、算出された推定地耐力データＦｅにデータ表示欄番号ｎとデータコードとを付加して第Ｘ計算値メモリ１０３ａに書込む（Ｓ３４）。そして、ｎ＝ａであるかを確認する（Ｓ３５）。ここで、ａは、第Ｘ計算値メモリ１０３ａに記憶されたデータに付加されているデータ表示欄番号の最大値である。言い換えれば、測定結果入力画面５０においてデータの入力されたデータ表示欄数である。
【０１４９】
ｎ＝ａであれば（Ｓ３５：Ｙｅｓ）、Ｘ＝ｍであるかを確認する（Ｓ３６）。ここでｍは、測定値入力処理（Ｓ３）でデータの書込まれた計算値メモリ１０３ａの数、即ち測定箇所の数である。本実施例では、５の測定箇所において測定した地盤調査データなどを、第１〜第５計算値メモリ１０３ａ１〜１０３ａ５に記憶させているので、ｍ＝５となる。
【０１５０】
そして、Ｘ＝ｍであれば（Ｓ３６：Ｙｅｓ）、測定値入力処理（Ｓ３）により地盤調査データの書込まれた全ての計算値メモリ（第１〜第５計算値メモリ１０３ａ１〜１０３ａ５）に記憶されているデータに基づいた推定地耐力データＦｅの算出とその計算値メモリ１０３ａへの書込みが終了したことを示しているので、支持層を選定するための２０ｋＮ判定処理を実行し（Ｓ３７）、更に、５０ｋＮ判定処理を実行する（Ｓ３８）。その後、中間層を判定するための中間層判定処理を実行した後（Ｓ３９）、この地耐力算出処理（Ｓ５）を終了する。
【０１５１】
また、Ｓ３５の処理で確認した結果、ｎ＝ａでなければ（Ｓ３５：Ｎｏ）、ｎ＝ｎ＋１として、指定するデータ表示欄番号に１加算して次のデータ表示欄番号を指定し（Ｓ４１）、その処理をＳ３３の処理に移行する。これにより、１の計算値メモリ１０３ａに記憶されているデータに基づいて、測定した全ての地層（深度）に対応する推定地耐力データＦｅが算出されるまで、繰り返してＳ３３〜Ｓ３５の処理が実行される。
【０１５２】
更に、Ｓ３６の処理で確認した結果、Ｘ＝ｍでなければ（Ｓ３６：Ｎｏ）、他の測定箇所に対応する推定地耐力データＦｅが未算出であるので、Ｘ＝Ｘ＋１として（Ｓ４２）、新たな計算値メモリ１０３ａを指定し、その処理をＳ３２の処理に移行する。これにより、次の計算値メモリ１０３ａに記憶されるデータ、即ち、別の測定箇所において取得された地盤調査データに基づいた推定地耐力データＦｅの算出が実行される。
【０１５３】
図１３は、図１２に示した地耐力算出処理（Ｓ５）の中で実行される２０ｋＮ判定処理（Ｓ３７）のフローチャートである。この２０ｋＮ判定処理（Ｓ３７）は、支持層を判定し、その支持層と判定した地層の貫入深さデータＤを表示データとして推定地耐力表６１に表示する処理である。この２０ｋＮ判定処理では、推定地耐力データＦｅが２０ｋＮ以上でＹｍ以上連続している地層、或いは、最終貫入深さに到達する２０ｋＮ以上の地層を支持層と判定している。ここで、Ｙを１０ｍといった大きな値に設定すれば、２０ｋＮ以上であって最終貫入深さ（強固な地層）まで継続する地層のみが、支持層として選定され、途中の２０ｋＮ以上の地層は支持層として選定されない。尚、Ｙの値を小さな値（例えば１ｍなど）とすれば、最終貫入深さ（強固な地層）に到達する前に存在する２０ｋＮ以上の地層の状態を詳細に知ることができ、また、設定された値に基づいて、最終貫入深さ到達前の地層において、支持層を選定することができる。本実施例においては、２０ｋＮ判定処理（Ｓ３７）および後述する５０ｋＮ判定処理（Ｓ３８）において、Ｙを１０ｍで設定している。
【０１５４】
２０ｋＮ判定処理（Ｓ３７）では、Ｘ＝１と設定し（Ｓ５１）、次いでｎ＝１と設定する（Ｓ５２）。Ｘは、計算値メモリ１０３ａを指定する番号であり、ｎは、計算値メモリ１０３ａに記憶されているデータに付加されているデータ表示欄番号を指定する値（データ表示欄番号）である。その後、設定されたデータ表示欄番号ｎに対応して第Ｘ計算値メモリに記憶されている推定地耐力データＦｅが、２０ｋＮ以下であるか否かを確認する（Ｓ５３）。
【０１５５】
ここで、対応する推定地耐力データＦｅが、２０ｋＮ以下でなければ（Ｓ５３：Ｎｏ）、設定されたデータ表示欄番号ｎに対応して第Ｘ計算値メモリに記憶されている貫入深さデータＤに仮表示コードを付加する（Ｓ５４）。そして、ｎ＝ａであるかを確認する（Ｓ５５）。ここで、ａは、第Ｘ計算値メモリ１０３ａに記憶されたデータに付加されているデータ表示欄番号の最大値である。
【０１５６】
ｎ＝ａであれば（Ｓ５５：Ｙｅｓ）、１の計算値メモリ１０３ａに記憶されている全ての推定地耐力データＦｅに対する判定が終了しているので、仮表示コードを２０ｋ表示コードに書き換え（Ｓ５６）、次いで、２０ｋ表示コードの付加された貫入深さデータＤの内、最も小さなデータ表示欄番号の付加された貫入深さデータＤを２０ｋ表示コードと共に第Ｘ表示値メモリ１０３ｂに書込む（Ｓ５７）。これにより、最終貫入深さに到達した場合には、Ｙｍ以下の厚みの地層であっても、支持層として選定される。
【０１５７】
その後、Ｘ＝ｍであるかを確認する（Ｓ５８）。ここでｍは、測定値入力処理（Ｓ３）でデータの書込まれた計算値メモリ１０３ａの数、即ち測定箇所の数である。本実施例では、上記したように、ｍ＝５である。確認の結果、Ｘ＝ｍであれば（Ｓ５８：Ｙｅｓ）、地耐力算出処理（Ｓ５）により算出された推定地耐力データＦｅの判定が終了したことを示しているので、推定地耐力表示画面６０をＣＲＴディスプレイ１０８に出力し、２０ｋ表示コードの付加された貫入深さデータＤを、その番号（表示する貫入深さデータＤの記憶される計算値メモリ１０３ａを指定する番号（１〜ｍ）およびデータ表示欄番号（１〜ａ））に対応する推定地耐力表６１の「２０ｋＮ」表示欄６３に表示する（Ｓ５９）。
【０１５８】
このＳ５９の処理により、例えば、２０ｋ表示コードとデータ表示欄番号２５とが付加されて、第１計算値メモリ１０３ａ１に記憶されている貫入深さデータＤ「３．７５」は、第１表示エリア６１ａの「２０ｋＮ」表示欄６３の第２５表示欄へ表示される。
【０１５９】
その後は、各処理を実行して（Ｓ６０）、例えば、貫入深さデータＤ以外のデータを推定地耐力表示画面６０に出力する処理などを実行した後、この２０ｋＮ判定処理（Ｓ３７）を終了する。
【０１６０】
また、Ｓ５５の処理で確認した結果、ｎ＝ａでなければ（Ｓ５５：Ｎｏ）、ｎ＝ｎ＋１として、指定するデータ表示欄番号に１加算して次のデータ表示欄番号を指定し（Ｓ６７）、その処理をＳ５３の処理に移行する。これにより、１の計算値メモリ１０３ａに記憶されている次の推定地耐力データＦｅについて、判定が実行される。
【０１６１】
また、Ｓ５８の処理で確認した結果、Ｘ＝ｍでなければ（Ｓ５８：Ｎｏ）、他の計算値メモリ１０３ａに記憶されている推定地耐力データＦｅについての判定が未判定であるので、Ｘ＝Ｘ＋１として（Ｓ６８）、新たな計算値メモリ１０３ａを指定し、その処理をＳ５２の処理に移行する。これにより、次の計算値メモリ１０３ａに記憶されるデータ、即ち、別の測定箇所の推定地耐力データＦｅの判定が実行される。
【０１６２】
一方、Ｓ５３の処理で確認した結果、対応する推定地耐力データＦｅが、２０ｋＮ以下であれば（Ｓ５３：Ｙｅｓ）、第Ｘ計算値メモリ１０３ａに仮表示コードの付加された貫入深さデータＤが記憶されているか否かを確認する（Ｓ６１）。ここで、第Ｘ計算値メモリ１０３ａに仮表示コードの付加された貫入深さデータＤが記憶されていると（Ｓ６１：Ｙｅｓ）、仮表示コードの付加された貫入深さデータＤの内、最も大きなデータ表示欄番号の付加された貫入深さデータＤと、最も小さなデータ表示欄番号の付加された貫入深さデータＤとの差がＹｍ以上あるか否かを確認する（Ｓ６２）。
【０１６３】
確認の結果、２の貫入深さデータＤの差がＹｍ以上なければ（Ｓ６２：Ｎｏ）、第Ｘ計算値メモリ１０３ａの貫入深さデータＤに付加されている各仮表示コードをクリアする（Ｓ６３）。一方、Ｓ６２の処理で確認した結果、２の貫入深さデータＤの差がＹｍ以上あれば（Ｓ６２：Ｙｅｓ）、第Ｘ計算値メモリ１０３ａの貫入深さデータＤに付加されている各仮表示コードを２０ｋ表示コードに書き換える（Ｓ６４）。
【０１６４】
Ｓ６３またはＳ６４の処理の実行後は、ｎ＝ａであるかを確認する（Ｓ６５）。ｎ＝ａであれば（Ｓ６５：Ｙｅｓ）、その処理をＳ５７の処理に移行する。また、ｎ＝ａでなければ（Ｓ６５：Ｎｏ）、ｎ＝ｎ＋１として、指定するデータ表示欄番号に１加算して次のデータ表示欄番号を指定し（Ｓ６６）、その処理をＳ５３の処理に移行する。
【０１６５】
また、Ｓ６１の処理で確認した結果、仮表示コードの付加された貫入深さデータＤが第Ｘ計算値メモリ１０３ａに記憶されていなければ（Ｓ６１：Ｎｏ）、その処理をＳ６５の処理に移行する。
【０１６６】
図１４は、図１２に示した地耐力算出処理（Ｓ５）の中で実行される５０ｋＮ判定処理（Ｓ３８）のフローチャートである。この５０ｋＮ判定処理（Ｓ３８）は、支持層を判定し、その支持層と判定した地層の貫入深さデータＤを表示データとして推定地耐力表６１に表示する処理である。５０ｋＮ判定処理では、推定地耐力データＦｅが５０ｋＮ以上でＹｍ以上連続している地層、或いは、最終貫入深さに到達する５０ｋＮ以上の地層を支持層と判定している。
【０１６７】
５０ｋＮ判定処理（Ｓ３８）は、５０ｋＮ判定処理と同様にその処理が実行される。まず、Ｘ＝１と設定し（Ｓ７１）、次いでｎ＝１と設定する（Ｓ７２）。その後、設定されたデータ表示欄番号ｎに対応して第Ｘ計算値メモリ１０３ａに記憶されている推定地耐力データＦｅが、５０ｋＮ以下であるか否かを確認する（Ｓ７３）。
【０１６８】
ここで、対応する推定地耐力データＦｅが、５０ｋＮ以下でなければ（Ｓ７３：Ｎｏ）、設定されたデータ表示欄番号ｎに対応して第Ｘ計算値メモリに記憶されている貫入深さデータＤに仮表示コードを付加する（Ｓ７４）。そして、ｎ＝ａであるかを確認する（Ｓ７５）。ここで、ａは、第Ｘ計算値メモリ１０３ａに記憶されたデータに付加されているデータ表示欄番号の最大値である。ｎ＝ａであれば（Ｓ７５：Ｙｅｓ）、１の計算値メモリ１０３ａに記憶されている全推定地耐力データＦｅに対する判定が終了しているので、仮表示コードを５０ｋ表示コードに書き換え（Ｓ７６）、次いで、５０ｋ表示コードの付加された貫入深さデータＤの内、最も小さなデータ表示欄番号の付加された貫入深さデータＤを５０ｋ表示コードと共に第Ｘ表示値メモリ１０３ｂに書込む（Ｓ７７）。
【０１６９】
その後、Ｘ＝ｍであるかを確認する（Ｓ７８）。ここでｍは、測定値入力処理（Ｓ３）でデータの書込まれた計算値メモリ１０３ａの数、即ち測定箇所の数である。本実施例では、上記したように、ｍ＝５である。確認の結果、Ｘ＝ｍであれば（Ｓ７８：Ｙｅｓ）、地耐力算出処理（Ｓ５）により算出された推定地耐力データＦｅの判定が終了したことを示しているので、５０ｋ表示コードの付加された貫入深さデータＤを、その番号（表示する貫入深さデータＤの記憶される計算値メモリ１０３ａを指定する番号（１〜ｍ）およびデータ表示欄番号（１〜ａ））に対応する推定地耐力表６１の「５０ｋＮ」表示欄６４に表示する（Ｓ７９）。そして、各処理を実行して（Ｓ８０）、この５０ｋＮ判定処理（Ｓ３８）を終了する。
【０１７０】
また、Ｓ７５の処理で確認した結果、ｎ＝ａでなければ（Ｓ７５：Ｎｏ）、ｎ＝ｎ＋１として、指定するデータ表示欄番号に１加算して次のデータ表示欄番号を指定し（Ｓ８７）、その処理をＳ７３の処理に移行する。
【０１７１】
また、Ｓ７８の処理で確認した結果、Ｘ＝ｍでなければ（Ｓ７８：Ｎｏ）、他の計算値メモリ１０３ａに記憶されている推定地耐力データＦｅについての判定が未判定であるので、Ｘ＝Ｘ＋１として（Ｓ８８）、新たな計算値メモリ１０３ａを指定し、その処理をＳ７２の処理に移行する。
【０１７２】
一方、Ｓ７３の処理で確認した結果、対応する推定地耐力データＦｅが、５０ｋＮ以下であれば（Ｓ７３：Ｙｅｓ）、第Ｘ計算値メモリ１０３ａに仮表示コードの付加された貫入深さデータＤが記憶されているか否かを確認する（Ｓ８１）。ここで、第Ｘ計算値メモリ１０３ａに仮表示コードの付加された貫入深さデータＤが記憶されていると（Ｓ８１：Ｙｅｓ）、仮表示コードの付加された貫入深さデータＤの内、最も大きなデータ表示欄番号の付加された貫入深さデータＤと、最も小さなデータ表示欄番号の付加された貫入深さデータＤとの差がＹｍ以上あるか否かを確認する（Ｓ８２）。
【０１７３】
確認の結果、２の貫入深さデータＤの差がＹｍ以上なければ（Ｓ８２：Ｎｏ）、第Ｘ計算値メモリ１０３ａの貫入深さデータＤに付加されている各仮表示コードをクリアする（Ｓ８３）。一方、Ｓ８２の処理で確認した結果、２の貫入深さデータＤの差がＹｍ以上あれば（Ｓ８２：Ｙｅｓ）、第Ｘ計算値メモリ１０３ａの貫入深さデータＤに付加されている各仮表示コードを５０ｋ表示コードに書き換える（Ｓ８４）。
【０１７４】
Ｓ８３またはＳ８４の処理の実行後は、ｎ＝ａであるかを確認する（Ｓ８５）。ｎ＝ａであれば（Ｓ８５：Ｙｅｓ）、その処理をＳ７７の処理に移行する。また、ｎ＝ａでなければ（Ｓ８５：Ｎｏ）、ｎ＝ｎ＋１として、指定するデータ表示欄番号に１加算して次のデータ表示欄番号を指定し（Ｓ８６）、その処理をＳ７３の処理に移行する。
【０１７５】
また、Ｓ８１の処理で確認した結果、仮表示コードの付加された貫入深さデータＤが第Ｘ計算値メモリ１０３ａに記憶されていなければ（Ｓ８１：Ｎｏ）、その処理をＳ８５の処理に移行する。このように、２０ｋＮ判定処理（Ｓ３７）と、５０ｋＮ判定処理（Ｓ３８）とを実行することにより、支持層と選定された地層の深度（貫入深さデータＤ）のみが表示データとして推定地耐力表６１に表示される。
【０１７６】
図１５は、図１２に示した地耐力算出処理（Ｓ５）の中で実行される中間層判定処理（Ｓ３９）のフローチャートである。この中間層判定処理（Ｓ３９）は、中間層を判定し、オペレータの入力操作に基づいて中間層を支持層と選定するための処理である。この中間層判定処理（Ｓ３９）では、推定地耐力データＦｅが３０ｋＮ以上の地層を中間層として判定している。更に、この中間層判定処理において、オペレータの入力操作に基づいて実行される中間層の選定（中間層を支持層とする選定）では、オペレータは、中間層厚が１ｍ以上連続している場合を１つの基準として、これを支持層として選定する入力操作を実行する。
【０１７７】
中間層判定処理（Ｓ３９）では、Ｘ＝１と設定し（Ｓ９１）、次いでｎ＝１と設定する（Ｓ９２）。Ｘは、２０ｋＮ判定処理などと同様に、計算値メモリ１０３ａを指定する番号であり、ｎは、計算値メモリ１０３ａに記憶されているデータに付加されているデータ表示欄番号を指定する値（データ表示欄番号）である。その後、設定されたデータ表示欄番号ｎに対応して第Ｘ計算値メモリに記憶されている推定地耐力データＦｅが、３０ｋＮ以下であるか否かを確認する（Ｓ９３）。
【０１７８】
ここで、対応する推定地耐力データＦｅが、３０ｋＮ以下でなければ（Ｓ９３：Ｎｏ）、設定されたデータ表示欄番号ｎに対応して第Ｘ計算値メモリに記憶されている貫入深さデータＤに３０ｋ表示コードを付加する（Ｓ９４）。そして、ｎ＝ａであるかを確認する（Ｓ９５）。ここで、ａは、第Ｘ計算値メモリ１０３ａに記憶されたデータに付加されているデータ表示欄番号の最大値である。
【０１７９】
ｎ＝ａであれば（Ｓ９５：Ｙｅｓ）、１の計算値メモリ１０３ａに記憶されている全ての推定地耐力データＦｅに対する判定が終了しているので、Ｘ＝ｍであるかを確認する（Ｓ９６）。ここでｍは、測定値入力処理（Ｓ３）でデータの書込まれた計算値メモリ１０３ａの数、即ち測定箇所の数であり、本実施例では、ｍ＝５である。確認の結果、Ｘ＝ｍであれば（Ｓ９６：Ｙｅｓ）、地耐力算出処理（Ｓ５）により算出された推定地耐力データＦｅの判定が終了したことを示しているので、３０ｋ表示コードの付加された貫入深さデータＤを、その番号（表示する貫入深さデータＤの記憶される計算値メモリ１０３ａを指定する番号（１〜ｍ）およびデータ表示欄番号（１〜ａ））に対応する推定地耐力表６１の「中間層」表示欄６５に表示する（Ｓ９７）。
【０１８０】
このＳ９７の処理により、例えば、３０ｋ表示コードとデータ表示欄番号９とが付加されて、第１計算値メモリ１０３ａ１に記憶されている貫入深さデータＤ「０．７５」は、推定地耐力表６１の第１表示エリア６１ａの「中間層」表示欄６５の第９表示欄へ表示される。
【０１８１】
その後は、中間層抽出指定がなされたか否かを確認する（Ｓ９８）。この中間層抽出指定は、中間層として表示されている地層の中から支持層とする中間層を選定するための処理である。
【０１８２】
上記したように、オペレータは、推定地耐力データＦｅが３０ｋＮ以上であることが示されている地層、即ち、中間層として「中間層」表示欄６５に表示されている各地層の深度の中から、２の深度（貫入深さデータＤ）を任意に指定する。これは、１の指定欄６６に、「１」および「２」を入力して、２の貫入深さデータＤを対で指定することにより実行され、指定された深度間の中間層が支持層として選定される。
【０１８３】
ここで、中間層抽出指定がなければ（Ｓ９８：Ｎｏ）、Ｓ９９の処理をスキップして、その処理をＳ１００の処理に移行する。一方、中間層抽出指定があれば（Ｓ９８：Ｙｅｓ）、対で指定された貫入深さデータＤを、その表示されている「中間層」表示欄６５（表示エリア）に対応する中間値メモリ１０３ｃに対で記憶されるようにそれぞれ書き込む（Ｓ９９）。その後、終了コマンドが入力されたか否かを確認し（Ｓ１００）、終了コマンドが入力されていれば（Ｓ１００：Ｙｅｓ）、この中間層判定処理（Ｓ３９）を終了する。また、終了コマンドが入力されていなければ（Ｓ１００：Ｎｏ）、その処理をＳ９８の処理へ移行して、中間層抽出指定または終了コマンドの入力を待機する。
【０１８４】
更に、Ｓ９３の処理で確認した結果、推定地耐力データＦｅが、３０ｋＮ以下であれば（Ｓ９３：Ｙｅｓ）、Ｓ９４の処理をスキップして、その処理をＳ９５の処理に移行する。また、Ｓ９５の処理で確認した結果、ｎ＝ａでなければ（Ｓ９５：Ｎｏ）、ｎ＝ｎ＋１として、指定するデータ表示欄番号に１加算して次のデータ表示欄番号を指定し（Ｓ１０１）、その処理をＳ９３の処理に移行する。これにより、１の計算値メモリ１０３ａに記憶されている次の推定地耐力データＦｅについて、判定が実行される。
【０１８５】
また、Ｓ９６の処理で確認した結果、Ｘ＝ｍでなければ（Ｓ９６：Ｎｏ）、他の計算値メモリ１０３ａに記憶されている推定地耐力データＦｅについての判定が未判定であるので、Ｘ＝Ｘ＋１として（Ｓ１０２）、新たな計算値メモリ１０３ａを指定し、その処理をＳ９２の処理に移行する。これにより、次の計算値メモリ１０３ａに記憶されるデータ、即ち、別の測定箇所の推定地耐力データＦｅの判定が実行される。
【０１８６】
図１６は、図１０に示したメイン処理の中で実行される自沈確定処理（Ｓ６）のフローチャートである。この自沈確定処理（Ｓ６）は、自沈層を判定し、オペレータの入力操作に基づいて自沈層を確定するための処理である。この自沈確定処理（Ｓ６）では、半回転数Ｎａが０である地層を自沈層として判定する。尚、自沈層の確定は、オペレータによる入力操作（深度指定）に基づいて実行される。この自沈確定処理（Ｓ６）では、自沈表示画面７１をＣＲＴディスプレイ１０８に表示し（Ｓ１１１）、Ｘ＝１と設定する（Ｓ１１２）、次いでｎ＝１と設定する（Ｓ１１３）。Ｘは、２０ｋＮ判定処理などと同様に、計算値メモリ１０３ａを指定する番号であり、ｎは、計算値メモリ１０３ａに記憶されているデータに付加されているデータ表示欄番号を指定する値（データ表示欄番号）である。その後、第Ｘ計算値メモリ１０３ａにおいて、設定されたデータ表示欄番号ｎに対応して記憶されている半回転数Ｎａが「０」であるか否かを確認する（Ｓ１１４）。
【０１８７】
ここで、対応する半回転数Ｎａが、「０」であれば（Ｓ１１４：Ｙｅｓ）、（第Ｘ計算値メモリに記憶されている貫入深さデータＤの内）設定されたデータ表示欄番号ｎに対応する貫入深さデータＤを、その番号（表示する貫入深さデータＤの記憶される計算値メモリ１０３ａを指定する番号（１〜ｍ）およびデータ表示欄番号（１〜ａ））に対応する自沈表示表７２の表示欄７４ｂ（の対応する欄）に表示する（Ｓ１１５）。そして、ｎ＝ａであるかを確認する（Ｓ１１６）。ここで、ａは、第Ｘ計算値メモリ１０３ａに記憶されたデータに付加されているデータ表示欄番号の最大値である。
【０１８８】
ｎ＝ａであれば（Ｓ１１６：Ｙｅｓ）、１の計算値メモリ１０３ａに記憶されている全ての推定地耐力データＦｅに対する判定が終了しているので、Ｘ＝ｍであるかを確認する（Ｓ１１７）。ここでｍは、測定値入力処理（Ｓ３）でデータの書込まれた計算値メモリ１０３ａの数、即ち測定箇所の数であり、本実施例では、ｍ＝５である。確認の結果、Ｘ＝ｍであれば（Ｓ１１７：Ｙｅｓ）、ＣＰＵ１０１による自沈層の判定が終了した（判定された自沈層の表示が完了した）ことを示しているので、深度指定がなされたか否かを確認する（Ｓ１１８）。この深度指定は、自沈層として表示されている地層の中から、オペレータの判断に基づいて自沈層を確定するための処理である。
【０１８９】
上記したように、オペレータは、自沈層として表示欄７４ｂに表示されている地層の深度（貫入深さデータＤ）の中から、一対の深度（貫入深さデータＤ）を任意に指定する。これは、自沈層指定欄７５に一の地層を指定するために「１」、１の地層とは別の地層を指定するために「２」を入力することにより行われる。これにより、指定された貫入深さデータＤ間の地層を、ＣＰＵ１０１は、（指定に応じて最大４層まで）自沈層として選定する。
【０１９０】
ここで、深度指定がなければ（Ｓ１１８：Ｎｏ）、Ｓ１１９の処理をスキップして、その処理をＳ１２０の処理に移行する。一方、深度指定があれば（Ｓ１１８：Ｙｅｓ）、対で指定された貫入深さデータＤを、その表示されている表示欄７４ｂ（表示エリア）に対応する深度メモリ１０３ｄに対で記憶されるようにそれぞれ書き込む（Ｓ１１９）。その後、終了コマンドが入力されたか否かを確認し（Ｓ１２０）、終了コマンドが入力されていれば（Ｓ１２０：Ｙｅｓ）、この自沈確定処理（Ｓ６）を終了する。また、終了コマンドが入力されていなければ（Ｓ１２０：Ｎｏ）、その処理をＳ１１８の処理へ移行して、深度指定または終了コマンドの入力を待機する。
【０１９１】
更に、Ｓ１１４の処理で確認した結果、半回転数Ｎａが、「０」でなければ（Ｓ１１４：Ｎｏ）、Ｓ１１５の処理をスキップして、その処理をＳ１１６の処理に移行する。また、Ｓ１１６の処理で確認した結果、ｎ＝ａでなければ（Ｓ１１６：Ｎｏ）、ｎ＝ｎ＋１として、指定するデータ表示欄番号に１加算して次のデータ表示欄番号を指定し（Ｓ１２１）、その処理をＳ１１４の処理に移行する。これにより、１の計算値メモリ１０３ａに記憶されている次の半回転数Ｎａについて、判定が実行される。
【０１９２】
また、Ｓ１１７の処理で確認した結果、Ｘ＝ｍでなければ（Ｓ１１７：Ｎｏ）、他の計算値メモリ１０３ａに記憶されている半回転数Ｎａについての判定が未判定であるので、Ｘ＝Ｘ＋１として（Ｓ１２２）、新たな計算値メモリ１０３ａを指定し、その処理をＳ１１３の処理に移行する。これにより、次の計算値メモリ１０３ａに記憶されるデータ、即ち、別の測定箇所の半回転数Ｎａに基づいて自沈層の判定が実行される。
【０１９３】
図１７は、図１０に示したメイン処理の中で実行される調査結果表示処理（Ｓ７）のフローチャートである。調査結果表示処理（Ｓ７）では、まず、調査結果表示画面８０をＣＲＴディスプレイ１０８に出力する（Ｓ１３１）。そして、第１〜第ｍ表示値メモリ１０３ｂ１〜１０３ｂｍのそれぞれに記憶されている２０ｋ表示コードの付加された貫入深さデータＤを、調査結果表８１の第１〜第ｍデータ表示欄の２０ｋＮ表示部８５の対応する数値欄にそれぞれ表示する（Ｓ１３２）。
【０１９４】
次に、第１〜第ｍ表示値メモリ１０３ｂ１〜１０３ｂｍのそれぞれに記憶されている５０ｋ表示コードの付加された貫入深さデータＤを、調査結果表８１の第１〜第ｍデータ表示欄の５０ｋＮ表示部８６の対応する数値欄にそれぞれ表示する（Ｓ１３３）。そして、第１〜第ｍ中間値メモリ１０３ｃ１〜１０３ｃｍのそれぞれに対で記憶されている貫入深さデータＤを、調査結果表８１の第１〜第ｍデータ表示欄の対応する中間良質土表示部８８にそれぞれ表示する（Ｓ１３４）。
【０１９５】
その後、第１〜第ｍ深度メモリ１０３ｄ１〜１０３ｄｍのそれぞれに対で記憶されている貫入深さデータＤを、調査結果表８１の第１〜第ｍデータ表示欄の対応する自沈表示部８９にそれぞれ表示し（Ｓ１３５）、工法指示表示処理を実行して（Ｓ１３６）、選定された支持層に対応する地盤改良の工法を表示する（Ｓ１３６）。続いて、その他表示処理を実行して（Ｓ１３７）、調査結果表示画面８０に表示されるべき各データの出力を実行した後、終了コマンドが入力されたか否かを確認する（Ｓ１３８）。ここで、終了コマンドが入力されていれば（Ｓ１３８：Ｙｅｓ）、この調査結果表示処理（Ｓ７）を終了する。一方、終了コマンドが入力されていなければ（Ｓ１３８：Ｎｏ）、終了コマンドが入力されるまで、調査結果表示処理（Ｓ７）の終了を待機し、調査結果表示画面８１を継続して表示する。
【０１９６】
図１８は、図１７の調査結果表示処理（Ｓ７）の中で実行される工法指示表示処理（Ｓ１３６）のフローチャートである。工法指示表示処理（Ｓ１３６）では、まず、Ｘ＝１とする（Ｓ１４１）。そして、第Ｘ中間値メモリ１０３ｃに貫入深さデータＤが記憶されているか否かを確認する（Ｓ１４２）。その結果、第Ｘ中間値メモリ１０３ｃに貫入深さデータＤが記憶されていると（Ｓ１４２：Ｙｅｓ）、第Ｘ中間値メモリ１０３ｃにおいて記憶される最小の貫入深さデータＤを、２０ｋＮ工法指示表９１ａの対応する数値欄９３（第Ｘ中間値メモリ１０３ｃの番号Ｘにより指定される欄）に表示すると共に、第Ｘ中間値メモリ１０３ｃに対応する測定箇所番号を（対応する）番号欄９２に表示する（Ｓ１４３）。
【０１９７】
その後、第Ｘ表示値メモリ１０３ｂに記憶されている５０ｋ表示コードの付加された貫入深さデータＤを、５０ｋＮ工法指示表９１ｂの対応する数値欄９３（第Ｘ表示値メモリ１０３ｂの番号Ｘにより指定される欄）に表示すると共に、第Ｘ表示値メモリ１０３ｂに対応する測定箇所番号を（対応する）番号欄９２に表示する（Ｓ１４４）。そして、Ｘ＝ｍであるかを確認する（Ｓ１４５）。ここでｍは、上記したように測定箇所の数であり、本実施例では、ｍ＝５である。
【０１９８】
確認の結果、Ｘ＝ｍであれば（Ｓ１４５：Ｙｅｓ）、各測定箇所のそれぞれにおいて選定された支持層の表示が終了したことを示しているので、５０ｋＮ工法指示表９１ｂの数値欄９３に表示された貫入深さデータＤの最大値を全体工法指示表９１ｃの数値欄９３に表示する（Ｓ１４６）。次に、工法指示表９１の各数値欄９３のそれぞれに表示された貫入深さデータＤに対応する工法情報（地盤改良の工法に関する情報、文字データ）を工法データメモリ１０６ｂから読出し、対応する工法表示欄９４にそれぞれ表示する（Ｓ１４７）。その後は、各処理を実行して（Ｓ１４８）、工法指示表９１に表示する他のデータの出力を実行した後、この工法指示表示処理（Ｓ１３６）を終了する。
【０１９９】
一方、Ｓ１４２の処理で確認した結果、第Ｘ中間値メモリ１０３ｃに貫入深さデータＤが記憶されていなければ（Ｓ１４２：Ｎｏ）、第Ｘ表示値メモリ１０３ｂに記憶されている２０ｋ表示コードの付加された貫入深さデータＤを、２０ｋＮ工法指示表９１ａの対応する数値欄９３（第Ｘ表示値メモリ１０３ｂの番号Ｘにより指定される欄）に表示すると共に、第Ｘ表示値メモリ１０３ｂに対応する測定箇所番号を（対応する）番号欄９２に表示した後（Ｓ１４９）、その処理をＳ１４４の処理に移行する。
【０２００】
また、Ｓ１４５の処理で確認した結果、Ｘ＝ｍでなければ（Ｓ１４５：Ｎｏ）
Ｘ＝Ｘ＋１として（Ｓ１５０）、新たな中間値メモリ１０３ｃまたは表示値メモリ１０３ｂを指定し、その処理をＳ１４２の処理に移行する。これにより、測定箇所全てにおいて、選定された支持層に対する地盤改良の工法が工法指示表９１によって指示されることとなる。また、中間層が支持層として選定された場合には、中間層の深度およびその深度に対応する地盤改良の工法が優先的に表示されることとなる。
【０２０１】
このように、本実施例の支持層選定装置１００によれば、数字の羅列である調査結果から、支持層を選定するに際し、支持層とし得る地層に関するデータが他のデータとは明確に区別できる態様で表示されるので、オペレータや閲覧者に的確に支持層とし得る地層の情報を伝達することができる。
【０２０２】
尚、上記実施例において、請求項１記載の算出ステップとしては、図１２のフローチャートのＳ３３の処理が該当する。請求項１記載の第１判断ステップとしては、図１３のフローチャートのＳ５３の処理が該当する。請求項１，２記載の第１表示ステップとしては、図１７のフローチャートのＳ１３２の処理が該当する。請求項１記載の第２判断ステップとしては、図１３のフローチャートのＳ６２と図１４のフローチャートのＳ８２の処理が該当する。請求項３記載の第３判断ステップとしては、図１５のフローチャートのＳ９３の処理が該当する。請求項３記載の第２表示ステップとしては、図１５のフローチャートのＳ９７の処理が該当する。請求項４記載の第３表示ステップとしては、図１７のフローチャートのＳ１３４の処理が該当する。請求項５記載の第４表示ステップとしては、図１８のＳ１４７の処理が該当する。
【０２０３】
以上、実施例に基づき本発明を説明したが、本発明は上記実施例に何ら限定されるものではなく、本発明の趣旨を逸脱しない範囲内で種々の改良変形が可能であることは容易に推察できるものである。
【０２０４】
例えば、上記実施例では、推定地耐力表６１において、支持層と選定し得る地層（または中間層）の貫入深さデータＤを表示し、それ以外の貫入深さデータＤは非表示とした。また、自沈表示表７２においては、自沈層と判定された地層の貫入深さデータＤを表示し、それ以外の貫入深さデータＤは非表示とした。つまり、データの表示態様の相違は、表示または非表示という態様の違いによって実行された。
【０２０５】
これに代えて、表示態様の相違は、表示する貫入深さデータＤの色相、濃度、明度、フォントなどの相違によって創出されても良く、また、貫入深さデータＤの背景色や、塗りつぶし、網掛けなど、一般に文字飾りなどと称される表示態様の変更により実行しても良い。
【０２０６】
更に、支持層の選定条件は、基準値以上の推定地耐力の地層が所定厚み以上連続して存在することを条件として行った。これに代えて、基準値以上の推定地耐力の地層であると、地層厚とは無関係に、その地層を示す貫入深さデータＤを表示し、表示された貫入深さデータＤをオペレータが選択することにより支持層が選定されるように構成しても良い。
【０２０７】
更に、地盤調査結果は、調査結果表８１に表示されるように構成された。この調査結果表８１では、深度範囲表示欄８２ａを設け、支持層として選定された地層の貫入深さデータＤは、深度範囲表示欄８２ａに表示された深度に対応する数値欄に表示された。また、調査結果表８１には、土質や自沈層などのデータについても表示されるように構成された。これに代えて、調査結果を簡便に表示する出力画面が、更に出力されるように支持層選定装置１００を構成しても良い。かかる出力画面としては、支持層と選定された地層の貫入深さデータのみを、測定箇所の番号と対応付けて表示する画面などが例示される。
【図面の簡単な説明】
【図１】  スウェーデン式サウンディング試験により測定される被測定領域の一例を示した図である。
【図２】  スウェーデン式サウンディング試験機を示した図である。
【図３】  本発明の支持層選定プログラムを搭載した支持層選定装置の電気的構成を示したブロック図である。
【図４】  工法データメモリに記憶される情報をテーブル形式で表示した工法テーブルを示した図である。
【図５】  測定結果入力画面を示した図である。
【図６】  推定地耐力表示画面を示した図である。
【図７】  自沈表示画面を示した図である。
【図８】  調査結果表示画面の一部であって、調査結果表示画面に表示される調査結果表を示した図である。
【図９】  調査結果表示画面において表示される工法指示表を示した図である。
【図１０】  支持層選定装置で実行されるメイン処理のフローチャートである。
【図１１】  メイン処理の中で実行される測定値入力処理のフローチャートである。
【図１２】  メイン処理の中で実行される地耐力算出処理のフローチャートである。
【図１３】  地耐力算出処理の中で実行される２０ｋＮ判定処理のフローチャートである。
【図１４】  地耐力算出処理の中で実行される５０ｋＮ判定処理のフローチャートである。
【図１５】  地耐力算出処理の中で実行される中間層判定処理のフローチャートである。
【図１６】  メイン処理の中で実行される自沈確定処理のフローチャートである。
【図１７】  メイン処理の中で実行される調査結果表示処理のフローチャートである。
【図１８】  調査結果表示処理の中で実行される工法指示表示処理のフローチャートである。
【符号の説明】
１０６Ａ      制御プログラム（支持層選定プログラム）
【図１】
0003706613.tif 000002
【図２】
0003706613.tif 000003
【図３】
0003706613.tif 000004
【図４】
0003706613.tif 000005
【図５】
0003706613.tif 000006
【図６】
0003706613.tif 000007
【図７】
0003706613.tif 000008
【図８】
0003706613.tif 000009
【図９】
0003706613.tif 000010
【図１０】
0003706613.tif 000011
【図１１】
0003706613.tif 000012
【図１２】
0003706613.tif 000013
【図１３】
0003706613.tif 000014
【図１４】
0003706613.tif 000015
【図１５】
0003706613.tif 000016
【図１６】
0003706613.tif 000017
【図１７】
0003706613.tif 000018
【図１８】
0003706613.tif 000019